(57)【要約】ワイヤレスメッセージの交換に、少なくとも部分的に基づいて、デバイス間の範囲を取得するための方法、システムおよびデバイスが開示される。たとえば、ワイヤレスデバイスは、セッションの間の交換ファインタイミング測定（ＦＴＭ）メッセージに、少なくとも部分的に基づいて、範囲の測定値を取得し得る。一実装形態では、開始ワイヤレス局は、応答ワイヤレス局に初期ＦＴＭ要求メッセージを送信する、ここで、初期ＦＴＭ要求メッセージは、範囲報告を生成するために、開始ＳＴＡの能力を示す１つまたは複数のフィールドを備える。【選択図】図６Ａ
2018537928.tif 000002
【特許請求の範囲】
【請求項１】
第１のワイヤレス局（ＳＴＡ）において、
ファインタイミング測定（ＦＴＭ）要求メッセージを第２のＳＴＡに送信すること、前記ＦＴＭ要求メッセージは、前記第１のＳＴＡの距離報告能力を示す１つまたは複数のフィールドを備える、と、
前記ＦＴＭ要求メッセージに応答して前記第２のＳＴＡから送信された肯定応答メッセージを受信することと
を備える、方法。
【請求項２】
前記ＦＴＭ要求メッセージに応答して前記第２のＳＴＡから１つまたは複数のＦＴＭメッセージを受信することをさらに備える、
請求項１に記載の方法。
【請求項３】
前記１つまたは複数のＦＴＭメッセージに、少なくとも部分的に、基づいて、範囲報告を備える未承諾無線測定フレームを前記第２のＳＴＡに送信することをさらに備える、
請求項２に記載の方法。
【請求項４】
前記１つまたは複数のＦＴＭメッセージのうちの少なくとも１つは、範囲報告のための要求を示す１つまたは複数のフィールドを備える、
請求項２に記載の方法。
【請求項５】
ＦＴＭメッセージのバーストを介して第２のＳＴＡから複数のＦＴＭメッセージを受信することと、
アクセスネットワーククエリプロトコル（ＡＮＱＰ）要求メッセージを受信すること、前記ＡＮＱＰ要求メッセージは、ＦＴＭメッセージの前記バースト中の最後のＦＴＭメッセージの送信前に前記応答するＳＴＡによって送信され、前記ＡＮＱＰ要求メッセージは、範囲報告のための要求を表す１つまたは複数のフィールドを備える、と、
前記ＡＮＱＰ要求メッセージに応答してＡＮＱＰ応答メッセージを送信することと
を備える、請求項１に記載の方法。
【請求項６】
第１のワイヤレス局（ＳＴＡ）において、
ワイヤレストランシーバと、
前記ワイヤレストランシーバに結合されたプロセッサとを備え、前記プロセッサは、
第２のＳＴＡに前記ワイヤレストランシーバを通してファインタイミング測定（ＦＴＭ）要求メッセージの送信を開始すること、前記ＦＴＭ要求メッセージは、範囲報告を生成するために前記第１のＳＴＡの能力を示す１つまたは複数のフィールドを備える、と
を行う、第１のＳＴＡ。
【請求項７】
前記プロセッサは、
前記ＦＴＭ要求メッセージに応答して前記第２のＳＴＡから前記ワイヤレストランシーバにおいて１つまたは複数のＦＴＭメッセージを取得することを行うようにさらに構成される、
請求項６に記載の第１のＳＴＡ。
【請求項８】
前記プロセッサは、
前記１つまたは複数のＦＴＭメッセージに、少なくとも部分的に、基づいて、範囲報告を備える未承諾無線測定フレームの送信を前記第２のＳＴＡに前記ワイヤレストランシーバを通して開始することを行うようにさらに構成される、
請求項７に記載の第１のＳＴＡ。
【請求項９】
前記１つまたは複数のＦＴＭメッセージのうちの少なくとも１つは、範囲報告のための要求を示す１つまたは複数のフィールドを備える、
請求項８に記載の第１のＳＴＡ。
【請求項１０】
前記プロセッサは、
ＦＴＭメッセージのバーストにおいて、前記第２のＳＴＡから受信した複数のＦＴＭメッセージを前記トランシーバデバイスにおいて取得することと、
前記ワイヤレストランシーバにおいて受信したＡＮＱＰ要求メッセージを取得すること、前記ＡＮＱＰ要求メッセージは、ＦＴＭメッセージの前記バースト中の最後のＦＴＭメッセージの送信前に前記第２のＳＴＡによって送信され、前記ＡＮＱＰ要求メッセージは、範囲報告のための要求を表す１つまたは複数のフィールドを備える、と、
前記ＡＮＱＰ要求メッセージに応答して前記ワイヤレストランシーバを通してＡＮＱＰ応答メッセージの送信を開始することと
を行うようにさらに構成される、請求項６に記載の第１のＳＴＡ。
【請求項１１】
第１のワイヤレス局（ＳＴＡ）において、
第２のＳＴＡにファインタイミング測定（ＦＴＭ）要求メッセージの送信するための手段、前記初期ＦＴＭ要求メッセージは、範囲報告を生成するために、前記開始ＳＴＡの能力を示す１つまたは複数のフィールドを備える、と、
前記ＦＴＭメッセージに応答して前記第２のＳＴＡから送信された肯定応答メッセージを受信するための手段と
を備える、第１のＳＴＡ。
【請求項１２】
前記ＦＴＭ要求メッセージに応答して前記第２のＳＴＡから１つまたは複数のＦＴＭメッセージを受信するための手段をさらに備える、
請求項１１に記載の第１のＳＴＡ。
【請求項１３】
前記１つまたは複数のＦＴＭメッセージに、少なくとも部分的に、基づいて、範囲報告を備える未承諾無線測定フレームを前記応答ＳＴＡに送信するための手段をさらに備える、
請求項１２に記載の第１のＳＴＡ。
【請求項１４】
前記１つまたは複数のＦＴＭメッセージのうちの少なくとも１つは、範囲報告のための要求を示す１つまたは複数のフィールドを備える、
請求項１２に記載の第１のＳＴＡ。
【請求項１５】
ＦＴＭメッセージのバーストにおいて前記第２のＳＴＡから複数のＦＴＭメッセージを受信するための手段と、
ＡＮＱＰ要求メッセージを受信するための手段、前記ＡＮＱＰ要求メッセージは、ＦＴＭメッセージの前記バースト中の最後のＦＴＭメッセージの送信前に前記第２のＳＴＡによって送信され、前記ＡＮＱＰ要求メッセージは、範囲報告のための要求を表す１つまたは複数のフィールドを備える、と、
前記ＡＮＱＰ要求メッセージに応答してＡＮＱＰ応答メッセージを送信するための手段と
を備える、請求項１１に記載の第１のＳＴＡ。
【請求項１６】
開始の第１のワイヤレス局（ＳＴＡ）のプロセッサによって、
第２のＳＴＡにファインタイミング測定（ＦＴＭ）要求メッセージの送信を開始すること
を実行可能である、その上に記憶されたコンピュータ可読命令を備え、前記第１のＦＴＭ要求メッセージは、範囲報告を生成するために前記第１のＳＴＡの能力を示す１つまたは複数のフィールドを備える、
非一時的記憶媒体。
【請求項１７】
前記命令は、前記プロセッサによって、
前記ＦＴＭ要求メッセージに応答して前記第２のＳＴＡから前記ワイヤレストランシーバにおいて１つまたは複数のＦＴＭメッセージを取得することを行うようにさらに実行可能である、
請求項１６に記載の記憶媒体。
【請求項１８】
前記命令は、前記プロセッサによって、
前記１つまたは複数のＦＴＭメッセージに、少なくとも部分的に、基づいて、範囲報告を備える未承諾無線測定フレームの送信を前記第２のＳＴＡに前記ワイヤレストランシーバを通して開始することを行うようにさらに実行可能である、
請求項１７に記載の記憶媒体。
【請求項１９】
前記１つまたは複数のＦＴＭメッセージのうちの少なくとも１つは、範囲報告のための要求を示す１つまたは複数のフィールドを備える、
請求項１７に記載の記憶媒体。
【請求項２０】
前記命令は、前記プロセッサによって、
ＦＴＭメッセージのバーストにおいて、前記第２のＳＴＡから複数のＦＴＭメッセージを取得することと、
ＡＮＱＰ要求メッセージを取得すること、前記ＡＮＱＰ要求メッセージは、ＦＴＭメッセージの前記バースト中の最後のＦＴＭメッセージの送信前に前記第２のＳＴＡによって送信され、前記ＡＮＱＰ要求メッセージは、範囲報告のための要求を表す１つまたは複数のフィールドを備える、と、
前記ＡＮＱＰ要求メッセージに応答してＡＮＱＰ応答メッセージの送信を開始することと
を行うようにさらに実行可能である、請求項１６に記載の記憶媒体。
【発明の詳細な説明】
【関連出願】
【０００１】
本ＰＣＴ出願は、その全体が参照により本明細書に組み込まれる、２０１５年１１月６日に出願された「Methods and Systems for a Ranging Protocol」と題する米国仮出願第６２／２５２，３６１号、および２０１５年１１月９日に出願された「Methods and Systems for a Ranging Protocol」と題する米国仮出願第６２／２５２，７４３号、ならびに２０１６年１１月３日に出願された「Methods and Systems for a Ranging Protocol」と題する米国非仮出願第１５／３４２，９９２号の利益および優先権を主張する。
【技術分野】
【０００２】
[0001]本明細書で説明される実施形態は、モバイル送信機から収集された信号の測定値を取得することを対象とする。
【背景技術】
【０００３】
[0002]全地球測位システム（ＧＰＳ）などの衛星測位システム（ＳＰＳ）は、屋外環境におけるモバイルハンドセットのためのナビゲーションサービスを可能にした。同様に、屋内環境においてモバイルデバイスの位置の推定値を取得するための特定の技法は、宅内ベニュー、政府ベニューまたは商業ベニューなど、特定の屋内ベニューにおける拡張ロケーションベースサービスを可能にし得る。たとえば、モバイルデバイスと固定ロケーションに位置するトランシーバとの間の範囲は、第１のデバイスから第２のデバイスへの第１のメッセージの送信と、第１のメッセージに応答して送信された、第１のデバイスにおける第２のメッセージの受信との間で測定されたラウンドトリップ時間（ＲＴＴ）の測定値に少なくとも部分的に基づいて測定され得る。
【発明の概要】
【０００４】
[0003]手短に言えば、特定の一実装形態は、第１のワイヤレス局において、第２のＳＴＡに、ファインタイミング測定（ＦＴＭ：fine timing measurement）要求メッセージを送信することを備える方法を対象とし、ＦＴＭ要求メッセージは、第１のＳＴＡの範囲報告能力を示す１つまたは複数のフィールドを備える。
【０００５】
[0004]別の特定の実装形態は、ワイヤレストランシーバと、ワイヤレストランシーバに結合されたプロセッサとを備える第１のワイヤレス局（ＳＴＡ）を対象し、プロセッサは、第２のＳＴＡに、ワイヤレストランシーバを通してファインタイミング測定（ＦＴＭ）要求メッセージの送信を開始することを行い、ＦＴＭ要求メッセージは、範囲報告を生成するために第１のＳＴＡの能力を示す１つまたは複数のフィールドを備える。
【０００６】
[0005]別の特定の実装形態は、第２のＳＴＡに、ファインタイミング測定（ＦＴＭ）要求メッセージを送信するための手段、初期ＦＴＭ要求メッセージは、範囲報告を生成するために開始ＳＴＡの能力を示す１つまたは複数のフィールドを備える、と、ＦＴＭメッセージに応答して第２のＳＴＡから送信された肯定応答メッセージを受信するための手段とを備える、第１のワイヤレス局（ＳＴＡ）を対象とする。
【０００７】
[0006]別の特定の実装形態は、開始の第１のワイヤレス局（ＳＴＡ）のプロセッサによって、第２のＳＴＡに、ファインタイミング測定（ＦＴＭ）要求メッセージの送信を開始することを行うように実行可能である、その上に記憶されたコンピュータ可読命令を備える非一時的記憶媒体を対象とし、ＦＴＭ要求メッセージは、範囲報告を生成するために第１のＳＴＡの能力を示す１つまたは複数のフィールドを備える。
【０００８】
[0007]別の特定の実装形態は、範囲報告を提供する能力を示す無線測定能力要素を備えるプローブ要求メッセージを送信することと、範囲報告を要求する、１つまたは複数のフィールドを備える無線測定要求メッセージを受信することと、範囲報告を備える無線測定応答メッセージを送信することと、無線測定応答メッセージの送信に続いてプローブ応答メッセージを受信すること、プローブ応答メッセージは、プローブ要求メッセージに応答して送信される、とを備える第１のワイヤレストランシーバデバイスにおける方法を対象とする。
【０００９】
[0008]別の特定の実装形態は、範囲報告を提供する能力を示す無線測定能力要素を備えるプローブ要求メッセージを送信することと、範囲報告を要求する、１つまたは複数のフィールドを備えるアクセスネットワーククエリプロトコル（ＡＮＱＰ）クエリメッセージを受信することと、範囲報告を備えるＡＮＱＰ応答メッセージを送信することと、無線測定応答メッセージの送信に続いてプローブ応答メッセージを受信すること、プローブ応答メッセージは、プローブ要求メッセージに応答して送信される、とを備える第１のワイヤレストランシーバデバイスにおける方法を対象とする。
【００１０】
[0009]別の特定の実装形態は、ワイヤレストランシーバと、ワイヤレストランシーバに結合されたプロセッサとを備える第１のワイヤレストランシーバデバイスを対象とし、プロセッサは、範囲報告を提供する能力を示す無線測定能力要素を備えるプローブ要求メッセージの送信をワイヤレストランシーバを通して開始することと、範囲報告を要求する、１つまたは複数のフィールドを備える、ワイヤレストランシーバにおいて受信した無線測定要求メッセージを取得することと、範囲報告を備える無線測定応答メッセージの送信をワイヤレストランシーバを通して開始することと、無線測定応答メッセージの送信に続いてワイヤレストランシーバにおいて受信したプローブ応答メッセージを取得すること、プローブ応答メッセージは、プローブ要求メッセージに応答して送信される、とを行うように構成される。
【００１１】
[00010]別の特定の実装形態は、ワイヤレストランシーバと、ワイヤレストランシーバに結合されたプロセッサとを備える第１のワイヤレストランシーバデバイスを対象とし、プロセッサは、範囲報告を提供する能力を示す無線測定能力要素を備えるプローブ要求メッセージの送信をワイヤレストランシーバを通して開始することと、範囲報告を要求する、１つまたは複数のフィールドを備える、ワイヤレストランシーバにおいて受信したＡＮＱＰクエリメッセージを取得することと、範囲報告を備えるＡＮＱＰ応答メッセージの送信をワイヤレストランシーバを通して開始することと、無線測定応答メッセージの送信に続いてワイヤレストランシーバにおいて受信したプローブ応答メッセージを取得すること、プローブ応答メッセージは、プローブ要求メッセージに応答して送信される、とを行うように構成される。
【００１２】
[00011]別の特定の実装形態は、範囲報告を提供する能力を示す無線測定能力要素を備えるプローブ要求メッセージを送信するための手段と、範囲報告を要求する、１つまたは複数のフィールドを備える無線測定要求メッセージを受信するための手段と、範囲報告を備える無線測定応答メッセージを送信するための手段と、無線測定応答メッセージの送信に続いてプローブ応答メッセージを受信するための手段、プローブ応答メッセージは、プローブ要求メッセージに応答して送信される、とを備える第１のワイヤレストランシーバデバイスを対象とする。
【００１３】
[00012]別の特定の実装形態は、範囲報告を提供する能力を示す無線測定能力要素を備えるプローブ要求メッセージを送信するための手段と、範囲報告を要求する、１つまたは複数のフィールドを備えるＡＮＱＰクエリメッセージを受信するための手段と、範囲報告を備えるＡＮＱＰ応答メッセージを送信するための手段と、無線測定応答メッセージの送信に続いてプローブ応答メッセージを受信するための手段、プローブ応答メッセージは、プローブ要求メッセージに応答して送信される、とを備える、第１のワイヤレストランシーバデバイスを対象とする。
【００１４】
[00013]別の特定の実装形態は、第１のワイヤレストランシーバデバイスのプロセッサによって、範囲報告を提供する能力を示す無線測定能力要素を備えるプローブ要求メッセージの送信を開始することと、範囲報告を要求する、１つまたは複数のフィールドを備える無線測定要求メッセージを取得することと、範囲報告を備える無線測定応答メッセージの送信を開始することと、無線測定応答メッセージの送信に続いてワイヤレストランシーバにおいて受信したプローブ応答メッセージを取得すること、プローブ応答メッセージは、プローブ要求メッセージに応答して送信される、とを行うように実行可能である、その上に記憶されたコンピュータ可読命令を備える非一時的記憶媒体を対象とする。
【００１５】
[00014]別の特定の実装形態は、第１のワイヤレストランシーバデバイスのプロセッサによって、範囲報告を提供する能力を示す無線測定能力要素を備えるプローブ要求メッセージの送信を開始することと、範囲報告を要求する、１つまたは複数のフィールドを備えるアクセスネットワーククエリプロトコル（ＡＮＱＰ）クエリメッセージを取得することと、範囲報告を備えるＡＮＱＰ応答メッセージの送信を開始することと、無線測定応答メッセージの送信に続いてプローブ応答メッセージを取得すること、プローブ応答メッセージは、プローブ要求メッセージに応答して送信される、とを行うように実行可能である、その上に記憶されたコンピュータ可読命令を備える非一時的記憶媒体を対象とする。
【００１６】
[00015]別の特定の実装形態は、第２の局（ＳＴＡ）からファインタイミング測定（ＦＴＭ）要求メッセージを受信することを備える第１のワイヤレスＳＴＡにおける方法を対象とし、ＦＴＭ要求メッセージは、第２のＳＴＡの範囲報告能力を示す１つまたは複数のフィールドを備える。１つの特定の実装形態では、方法は、ＦＴＭ要求メッセージに応答して第１のＳＴＡから１つまたは複数のＦＴＭメッセージを送信することをさらに備える。別の特定の実装形態では、方法は、１つまたは複数のＦＴＭメッセージに、少なくとも部分的に、基づいて、範囲報告を備える未承諾無線測定フレームを第２のＳＴＡから受信することをさらに備える。ここで、１つまたは複数のＦＴＭメッセージのうちの少なくとも１つは、範囲報告のための要求を示す１つまたは複数のフィールドを備え得る。別の特定の実装形態では、方法は、ＦＴＭメッセージのバーストを介して第１のＳＴＡから複数のＦＴＭメッセージを送信することと、アクセスネットワーククエリプロトコル（ＡＮＱＰ）要求メッセージを送信すること、ＡＮＱＰ要求メッセージは、ＦＴＭメッセージのバーストにおける最後のＦＴＭメッセージの送信の前に第１のＳＴＡによって送信され、ＡＮＱＰ要求メッセージは、範囲報告のための要求を表す１つまたは複数のフィールドを備える、と、ＡＮＱＰ要求メッセージに応答してＡＮＱＰ応答メッセージを送信することとをさらに備える。
【００１７】
[00016]別の特定の実装形態は、第１のワイヤレストランシーバデバイスにおいて、範囲報告を提供する際に、第２のワイヤレストランシーバデバイスの能力を示す無線測定能力要素を備える、第２のワイヤレストランシーバデバイスから送信されたプローブ要求メッセージを受信することと、範囲報告を要求する、１つまたは複数のフィールドを備える無線測定要求メッセージを送信することと、無線測定を備える無線測定応答メッセージを受信することと、無線測定応答メッセージの受信に応答してプローブ応答メッセージを送信することとを備える方法を対象とする。
【００１８】
[00017]別の特定の実装形態は、ワイヤレストランシーバデバイスにおいて、範囲報告を提供する際に、第２のワイヤレストランシーバデバイスの能力を示す無線測定能力要素を備える、第２のワイヤレストランシーバデバイスから送信されたプローブ要求メッセージを受信することと、範囲報告を要求する、１つまたは複数のフィールドを備える、第２のワイヤレストランシーバデバイスにＡＮＱＰクエリメッセージを送信することと、無線測定を備えるＡＮＱＰ応答メッセージを受信することと、ＡＮＱＰ応答メッセージの受信に応答してプローブ応答メッセージを送信することとを備える第１のワイヤレストランシーバデバイスにおける方法を対象とする。
【００１９】
[00018]別の特定の実装形態は、ワイヤレストランシーバと、ワイヤレストランシーバに結合されたプロセッサとを備える第１のワイヤレス局（ＳＴＡ）を対象し、プロセッサは、第２のＳＴＡから、ワイヤレストランシーバにおいて受信したファインタイミング測定（ＦＴＭ）要求メッセージを取得することを行い、ＦＴＭ要求メッセージは、範囲報告を生成するために第１のＳＴＡの能力を示す１つまたは複数のフィールドを備える。特定の実装形態では、プロセッサは、ＦＴＭ要求メッセージに応答して、第２のＳＴＡにワイヤレストランシーバを通して１つまたは複数のＦＴＭメッセージの送信を開始することを行うようにさらに構成される。別の特定の実装形態では、プロセッサは、１つまたは複数のＦＴＭメッセージに、少なくとも部分的に、基づいて、範囲報告を備える、第２のＳＴＡからワイヤレストランシーバにおいて受信した未承諾無線測定フレームを取得することを行うようにさらに構成される。ここで、１つまたは複数のＦＴＭメッセージのうちの少なくとも１つは、範囲報告のための要求を示す１つまたは複数のフィールドを備え得る。別の特定の実装形態では、プロセッサは、ＦＴＭメッセージのバーストにおいて、第２のＳＴＡにトランシーバデバイスを通して複数のＦＴＭメッセージの送信を開始することと、ワイヤレストランシーバを通してＡＮＱＰ要求メッセージの送信を開始すること、ＡＮＱＰ要求メッセージは、ＦＴＭメッセージのバーストにおける最後のＦＴＭメッセージの送信の前に送信され、ＡＮＱＰ要求メッセージは、範囲報告のための要求を表わす１つまたは複数のフィールドを備える、と、ＡＮＱＰ要求メッセージに応答してワイヤレストランシーバ受信され送信されたＡＮＱＰ応答メッセージを取得することとを行うようにさらに構成される。
【００２０】
[00019]別の特定の実装形態は、ワイヤレストランシーバと、ワイヤレストランシーバに結合されたプロセッサとを備える第１のワイヤレストランシーバデバイスを対象とし、プロセッサは、範囲報告を提供する際の第２のワイヤレストランシーバデバイスの能力を示す無線測定能力要素を備える、第２のワイヤレストランシーバデバイスによって送信されワイヤレストランシーバで受信されるプローブ要求メッセージを取得することと、範囲報告を要求する、１つまたは複数のフィールドを備える、ワイヤレストランシーバを通して無線測定要求メッセージの送信を開始することと、範囲報告を備える、第２のワイヤレストランシーバデバイスによって送信されワイヤレストランシーバで受信される無線測定応答メッセージを取得することと、無線測定応答メッセージの受信に応答してワイヤレストランシーバを通してプローブ応答メッセージの送信を開始することとを行うように構成される。
【００２１】
[00020]別の特定の実装形態は、ワイヤレストランシーバと、ワイヤレストランシーバに結合されたプロセッサとを備える第１のワイヤレストランシーバデバイスを対象とし、プロセッサは、範囲報告を提供する際の第２のワイヤレストランシーバデバイスの能力を示す無線測定能力要素を備える、第２のワイヤレストランシーバデバイスによって送信されワイヤレストランシーバで受信されるプローブ要求メッセージを取得することと、範囲報告を要求する、１つまたは複数のフィールドを備える、ワイヤレストランシーバを通してＡＮＱＰクエリメッセージの送信を開始することと、範囲報告を備える、第２のワイヤレストランシーバデバイスによって送信されワイヤレストランシーバで受信されるＡＮＱＰ応答メッセージを取得することと、無線測定応答メッセージの受信に続いて、ワイヤレストランシーバを通してプローブ応答メッセージの送信を開始することとを行うように構成される。
【００２２】
[00021]別の特定の実装形態は、第２のＳＴＡから、ファインタイミング測定（ＦＴＭ）要求メッセージを受信するための手段、ＦＴＭ要求メッセージは、範囲報告を生成するために第２のＳＴＡの能力を示す１つまたは複数のフィールドを備える、と、ＦＴＭメッセージに応答して第２のＳＴＡに肯定応答メッセージを送信するための手段とを備える、第１のワイヤレス局（ＳＴＡ）を対象とする。１つの特定の実装形態では、第１のＳＴＡは、ＦＴＭ要求メッセージに応答して第２のＳＴＡに１つまたは複数のＦＴＭメッセージを送信するための手段をさらに備える。ここで、方法は、１つまたは複数のＦＴＭメッセージに、少なくとも部分的に、基づいて、範囲報告メッセージを備える未承諾無線測定フレームを第２のＳＴＡから受信するための手段をさらに備える。ここで、１つまたは複数のＦＴＭメッセージのうちの少なくとも１つは、範囲報告のための要求を示す１つまたは複数のフィールドを備える。
【００２３】
[00022]別の特定の実装形態は、ＦＴＭメッセージのバーストにおいて、第１のＳＴＡに複数のＦＴＭメッセージを送信するための手段と、ＡＮＱＰ要求メッセージを送信するための手段、ＡＮＱＰ要求メッセージは、ＦＴＭメッセージのバーストにおける最後のＦＴＭメッセージの送信の前に第１のＳＴＡによって送信され、ＡＮＱＰ要求メッセージは、範囲報告のための要求を表す１つまたは複数のフィールドを備える、と、ＡＮＱＰ要求メッセージに応答してＡＮＱＰ応答メッセージを受信するための手段とを備える第１のＳＴＡを対象とする。
【００２４】
[00023]別の特定の実装形態は、範囲報告を提供する際の、第２のワイヤレストランシーバデバイスの能力を示す無線測定能力要素を備えるプローブ要求メッセージを受信するための手段と、範囲報告を要求する、１つまたは複数のフィールドを備える無線測定要求メッセージを送信するための手段と、範囲報告を備える無線測定応答メッセージを受信するための手段と、無線測定応答メッセージの受信に応答してプローブ応答メッセージを送信するための手段、プローブ応答メッセージは、プローブ要求メッセージに応答してさらに送信される、とを備える第１のワイヤレストランシーバデバイスを対象とする。
【００２５】
[00024]別の特定の実装形態は、範囲報告を提供する際の、第２のワイヤレストランシーバデバイスの能力を示す無線測定能力要素を備えるプローブ要求メッセージを受信するための手段と、範囲報告を要求する、１つまたは複数のフィールドを備えるＡＮＱＰクエリメッセージを送信するための手段と、範囲報告を備えるＡＮＱＰ応答メッセージを受信するための手段と、ＡＮＱＰ応答メッセージの受信に応答して続いてプローブ応答メッセージを送信するための手段、プローブ要求メッセージは、プローブ要求メッセージに応答してさらに送信される、とを備える第１のワイヤレストランシーバデバイスを対象とする。
【００２６】
[00025]別の特定の実装形態は、開始の第１のワイヤレス局（ＳＴＡ）のプロセッサによって、第２のＳＴＡから第１のワイヤレス局で受信したファインタイミング測定（ＦＴＭ）要求メッセージを取得することを行うように実行可能である、その上に記憶されたコンピュータ可読命令を備える非一時的記憶媒体を対象とし、第１のＦＴＭ要求メッセージは、範囲報告を生成するために第２のＳＴＡの能力を示す１つまたは複数のフィールドを備える。特定の実装形態では、命令は、プロセッサによって、ＦＴＭ要求メッセージに応答して第２のＳＴＡに、１つまたは複数のＦＴＭメッセージの送信を開始することを行うようにさらに実行可能である。別の特定の実装形態では、命令は、プロセッサによって、１つまたは複数のＦＴＭメッセージに、少なくとも部分的に、基づいて、範囲報告を備える、第２のＳＴＡによって送信され第１のＳＴＡで受信した未承諾無線測定フレームを取得することを行うようにさらに実行可能である。ここで、１つまたは複数のＦＴＭメッセージのうちの少なくとも１つは、範囲報告のための要求を示す１つまたは複数のフィールドを備える。別の特定の実装形態では、命令は、プロセッサによって、ＦＴＭメッセージのバーストにおける、第２のＳＴＡに、複数のＦＴＭメッセージの送信を開始することと、ＡＮＱＰ要求メッセージの送信を開始すること、ＡＮＱＰ要求メッセージは、ＦＴＭメッセージのバーストにおける最後のＦＴＭメッセージの送信の前に送信され、ＡＮＱＰ要求メッセージは、範囲報告のための要求を表す１つまたは複数のフィールドを備える、と、ＡＮＱＰ要求メッセージに応答して送信され第１のＳＴＡでワイヤレストランシーバ受信したＡＮＱＰ応答メッセージを取得することとを行うようにさらに実行可能である。
【００２７】
[00026]別の特定の実装形態は、第１のワイヤレストランシーバデバイスのプロセッサによって、範囲報告を提供する際の第２のワイヤレストランシーバデバイスの能力を示す無線測定能力要素を備える、第２のワイヤレストランシーバデバイスによって送信され第１のワイヤレストランシーバデバイスで受信されるプローブ要求メッセージを取得することと、範囲報告を要求する、１つまたは複数のフィールドを備える無線測定要求メッセージの送信を開始することと、第２のワイヤレストランシーバデバイスによって送信されワイヤレストランシーバで受信される、範囲報告を備える無線測定応答メッセージを取得することと、無線測定応答メッセージの受信に応答してワイヤレストランシーバを通してプローブ応答メッセージの送信を開始すること、プローブ応答メッセージは、プローブ要求メッセージに応答してさらに送信される、とを行うように実行可能である、その上に記憶されたコンピュータ可読命令を備える記憶媒体を対象とする。
【００２８】
[00027]別の特定の実装形態は、第１のワイヤレストランシーバデバイスのプロセッサによって、範囲報告を提供することの能力を示す無線測定能力要素を備える、第２のワイヤレストランシーバデバイスによって送信され第１のワイヤレストランシーバで受信されるプローブ要求メッセージを取得することと、範囲報告を要求する、１つまたは複数のフィールドを備えるＡＮＱＰクエリメッセージの送信を開始することと、範囲報告を備える、第２のワイヤレストランシーバデバイスで受信される、ＡＮＱＰ応答メッセージを取得することと、ＡＮＱＰ応答メッセージの受信に応答してプローブ応答メッセージの送信を開始すること、プローブ応答メッセージは、プローブ要求メッセージに応答してさらに送信される、とを行うように実行可能である、その上に記憶されたコンピュータ可読命令を備える記憶媒体を対象とする。
【００２９】
[00028]上述の実装形態は例示的な実装形態にすぎず、請求される主題は、必ずしもこれらの例示的な実装形態の特定の態様に限定されるとは限らないことを理解されたい。
【図面の簡単な説明】
【００３０】
[00029]請求される主題は、本明細書の結論部分において特に指摘され、明確に請求される。しかしながら、それの目的、特徴、および／または利点とともに、編成および／または動作方法の両方に関して、請求される主題は、以下の発明を実施するための形態を参照し、添付の図面とともに読むことによって最も良く理解され得る。
【図１】一実装形態による、モバイルデバイスを含んでいるシステムのいくつかの特徴を示すシステム図。
【図２】特定の実施形態による、メッセージフロー図。
【図３】特定の実施形態による、メッセージフロー図。
【図４】範囲報告を提供するための能力がファインタイミング測定（ＦＴＭ）要求メッセージ中に表わされる代替の実装形態による、フローチャート。
【図５】範囲報告を提供するための能力がファインタイミング測定（ＦＴＭ）要求メッセージ中に表わされる代替の実装形態による、フローチャート。
【図６Ａ】一実施形態による、範囲報告の送信を容易にするためのプロセスのフローチャート。
【図６Ｂ】一実施形態による、範囲報告の送信を容易にするためのプロセスのフローチャート。
【図７】特定の実施形態による、開始のワイヤレストランシーバデバイスから送信されたＦＴＭ要求メッセージのフィールドを示す図。
【図８】特定の実施形態による、開始のワイヤレストランシーバデバイスから送信されたＦＴＭ要求メッセージのフィールドを示す図。
【図９】特定の実施形態による、開始のワイヤレストランシーバデバイスから送信されたＦＴＭ要求メッセージのフィールドを示す図。
【図１０】一実施形態による、範囲報告のための要求がＡＮＱＰクエリ要求メッセージ中で送信されるメッセージフローチャート。
【図１１】一実施形態による、ＡＮＱＰクエリ要求メッセージおよびＡＮＱＰ応答メッセージのフィールドを示す図。
【図１２】一実施形態による、ＡＮＱＰクエリ要求メッセージおよびＡＮＱＰ応答メッセージのフィールドを示す図。
【図１３】一実施形態による、範囲報告を手狂するための能力が無線測定プローブ要求メッセージ中で表わされるメッセージフローチャート。
【図１４】一実施形態による、無線測定プローブ要求メッセージのフィールドを示す図。
【図１５Ａ】一実施形態による、範囲報告を送信をするためのプロセスのフローチャート。
【図１５Ｂ】一実施形態による、範囲報告を送信をするためのプロセスのフローチャート。
【図１６】一実施形態による、ＡＮＱＰクエリ要求に応答して範囲報告を送信するためのメッセージフローチャート。
【図１７Ａ】一実施形態による、メッセージ中で範囲報告を送信をするためのプロセスのフローチャート。
【図１７Ｂ】一実施形態による、メッセージ中で範囲報告を送信をするためのプロセスのフローチャート。
【図１８】一実装形態による、例示的なデバイスを示す概略ブロック図。
【図１９】一実装形態による、例示的なコンピューティングシステムの概略ブロック図。
【００３１】
[00044]以下の発明を実施するための形態において、本出願の一部を形成する添付の図面への参照が行われ、ここにおいて、同様の数字は、全体を通して、対応および／または類似する同様の部分を示し得る。図は、説明の簡単および／または明快のためになど、必ずしも一定の縮尺で描かれているとは限らないことが諒解されよう。たとえば、いくつかの態様の寸法は他の寸法に対して誇張され得る。さらに、他の実施形態が利用され得ることを理解されたい。さらに、構造のおよび／または他の変更が、請求される主題から逸脱することなく行われ得る。「請求される主題」への本明細書全体にわたる参照は、１つまたは複数の請求項、またはそれの任意の部分によってカバーされることが意図される主題を参照し、必ずしも、完全な特許請求の範囲、特許請求の範囲の特定の組合せ（たとえば、方法クレーム、装置クレームなど）、または特定の請求項を参照することを意図するとは限らない。また、たとえば、上、下、上部、下部など、方向および／または参照は、図面の説明を容易にするために使用され得、請求される主題の適用を制限するものではないことに留意されたい。したがって、以下の発明を実施するための形態は、請求される主題および／または均等物を限定すると見なされるべきではない。
【発明の詳細な説明】
【００３２】
[00045]本明細書全体にわたる一実装形態、実装形態、一実施形態、実施形態などへの言及は、特定の実装形態および／または実施形態に関して説明された特定の特徴、構造、特性などが、請求される主題の少なくとも１つの実装形態および／または実施形態に含まれることを意味する。したがって、たとえば、本明細書全体にわたる様々な箇所でのそのような句の出現は、必ずしも同じ実装形態および／または実施形態あるいは特定の一実装形態および／または実施形態を指すことを意図されるとは限らない。さらに、説明される特定の特徴、構造、特性などは、１つまたは複数の実装形態および／または実施形態では、様々な方法で組み合わせられることが可能であり、したがって、意図された特許請求の範囲内にあることを理解されたい。概して、もちろん、特許出願の明細書について常にそうであるように、これらおよび他の問題は、使用の特定のコンテキストにおいて異なる可能性を有する。言い換えれば、特許出願全体にわたって、説明および／または使用の特定のコンテキストは、引き出されるべき妥当な推論に関する有用なガイダンスを与えるが、同様に、さらなる限定なしの一般の「このコンテキストでは」は本特許出願のコンテキストを指す。
【００３３】
[00046]以下で説明されるように、特定のメッセージフローは、ワイヤレス局（ＳＴＡ）間のメッセージの送信に関して範囲の効果的および効率的な測定を可能にし得る。特定の例では、ＳＴＡは、たとえば、ほんの数例を挙げると、モバイルユーザ局（たとえば、スマートフォン、ノートブックコンピュータ、タブレットコンピュータなど）またはワイヤレスサービスアクセスデバイス（たとえば、ワイヤレスローカルエリアネットワーク（ＷＬＡＮ）アクセスポイント、パーソナルエリアネットワーク（ＰＡＮ）またはフェムトセル）の、いくつかのタイプのトランシーバデバイスのうちのいずれか１つを備え得る。特定のメッセージフローとメッセージフレーム中のフィールドは、たとえば、より少ないメッセージを使用してワイヤレスＳＴＡ間の範囲を測定するのに十分な精度でラウンドトリップ時間（ＲＴＴ）または飛行時間（ＴＯＦ）測定値を取得することを可能にし得る。そのような測定された範囲は、たとえば、測位動作を含むいくつかの適用例のうちのいずれか１つにおいて使用され得る。
【００３４】
[00047]以下で説明されるように、第１のＳＴＡは、第１のＳＴＡがＲＴＴまたはＴＯＦ測定値を取得することを可能にするメッセージまたはフレームの交換のためのプロセスを開始するために、第２のＳＴＡにファインタイミング測定要求メッセージを送信し得る。特定の実装形態では、ファインタイミング測定要求メッセージは、第１のＳＴＡが測距測定値または範囲を示す他のパラメータを共有することが可能であるかどうかに関するインジケーションを含み得る。特定の実装形態では、ＲＴＴまたはＴＯＦ測定値の算出の後に、第１のＳＴＡは、第２のＳＴＡに、算出された範囲、ＴＯＦまたはＲＴＴ測定値あるいは範囲を示す他のパラメータを備える１つまたは複数のメッセージを送信し得る。これは例示的な実装形態にすぎないこと、および請求される主題はこの点について限定されないことを理解されたい。
【００３５】
[00048]ＲＴＴの測定のためのＳＴＡ間のメッセージの送信は、ほんの数例を挙げると、一般に、音声、ビデオ、ＨＴＴＰ、データなど、他の適用例をサポートする他のメッセージトラフィックに加えて行われる。したがって、高密度動作環境では、ＲＴＴの測定のためのＳＴＡ間のメッセージングは、ワイヤレスリンクリソースのための輻輳および競合を増加させ得る。以下で説明される特定の実装形態では、特定の測位技法は、ＲＴＴを測定するために使用される一般的な技法よりも少数のメッセージを使用して、ＳＴＡ間のメッセージの送信のためのＴＯＦを測定することによってサポートされ得る。一実施形態によれば、ＴＯＦは、シーケンス中で近接して送信されるメッセージの「バースト」中の個々のメッセージのために測定され得る。受信されたメッセージのバーストからの複数のＴＯＦ測定値を組み合わせることは、たとえば、測定誤差の低減を可能にし得る。
【００３６】
[00049]一実施形態によれば、ＳＴＡ間のメッセージの交換に基づいてＳＴＡ間の範囲を示すパラメータは、範囲報告を備える１つまたは複数のメッセージ中で共有され得る。本明細書で説明される実施形態は、特に、ＳＴＡ間で送信された範囲報告中の範囲を示す共有パラメータのための簡素化したプロトコルを対象とする。
【００３７】
[00050]一実施形態によれば、図１に示されているように、モバイルデバイス１００ａまたは１００ｂは、ワイヤレス通信ネットワークに無線信号を送信し、ワイヤレス通信ネットワークから無線信号を受信し得る。一例では、モバイルデバイス１００は、ワイヤレス通信リンク１２５を介して、ローカルトランシーバ１１５にワイヤレス信号を送信し、またはローカルトランシーバ１１５からワイヤレス信号を受信することによって、通信ネットワークと通信し得る。
【００３８】
[00051]特定の実装形態では、ローカルトランシーバ１１５は屋内環境中に配置され得る。ローカルトランシーバ１１５は、ワイヤレスローカルエリアネットワーク（ＷＬＡＮ、たとえば、ＩＥＥＥ規格８０２．１１ネットワーク）またはワイヤレスパーソナルエリアネットワーク（ＷＰＡＮ、たとえば、Ｂｌｕｅｔｏｏｔｈ（登録商標）ネットワーク）へのアクセスを与え得る。別の例示的な実装形態では、ローカルトランシーバ１１５は、セルラー通信プロトコルに従うワイヤレス通信リンク１２５上での通信を容易にすることが可能なフェムトセルトランシーバを備え得る。もちろん、これらは、ワイヤレスリンクを介してモバイルデバイスと通信し得るネットワークの例にすぎず、請求される主題は、この点について限定されないことを理解されたい。
【００３９】
[00052]特定の実装形態では、ローカルトランシーバ１１５ａまたは１１５ｂは、リンク１４５を通してネットワーク１３０を介してサーバ１４０、１５０および／または１５５と通信し得る。ここで、ネットワーク１３０は、ワイヤードリンクまたはワイヤレスリンクの任意の組合せを備え得る。特定の実装形態では、ネットワーク１３０は、ローカルトランシーバ１１５を通してモバイルデバイス１００とサーバ１４０、１５０または１５５との間の通信を容易にすることが可能なインターネットプロトコル（ＩＰ）インフラストラクチャを備え得る。別の実装形態では、ネットワーク１３０は、モバイルデバイス１００とのモバイルセルラー通信を容易にするために、ワイヤードまたはワイヤレス通信ネットワークインフラストラクチャを備え得る。
【００４０】
[00053]特定の実装形態では、モバイルデバイス１００は、ローカル送信機（たとえば、既知のロケーションに位置するＷＬＡＮアクセスポイント）から収集された信号に少なくとも部分的に基づいて位置フィックスを算出することが可能であり得る。たとえば、モバイルデバイスは、既知のロケーションに位置する３つまたはそれ以上の屋内地上波ワイヤレスアクセスポイントまでの範囲を測定することによって位置フィックスを取得し得る。そのような範囲は、たとえば、そのようなアクセスポイントから受信された信号からＭＡＣ  ＩＤアドレスを取得することと、たとえば、受信信号強度（ＲＳＳＩ）またはＲＴＴなど、そのようなアクセスポイントから受信された信号の１つまたは複数の特性を測定することによってアクセスポイントまでの範囲測定値を取得することとによって測定され得る。代替実装形態では、モバイルデバイス１００は、予想される到来角（ＡｏＡ）を示す無線ヒートマップに収集された信号の特性を適用することによって屋内位置フィックスを取得し得る。他の代替実装形態では、上記で指摘されたように、モバイルデバイス１００は、予想されるＴＯＦを示す無線ヒートマップに収集された信号の特性を適用することによって屋内位置フィックスを取得し得る。したがって、無線ヒートマップは、屋内エリア中の特定のロケーションにおけるＴＯＦ、ＡｏＡ、ＳＩおよび／またはＲＴＴシグネチャを備え得る。特定の実装形態では、無線ヒートマップは、ローカル送信機の識別情報（たとえば、ローカル送信機から収集された信号から識別可能であるＭＡＣアドレス）と、識別されたローカル送信機によって送信された信号からの予想されるＲＳＳＩと、識別された送信機からの予想されるＲＴＴと、場合によってはこれらの予想されるＡｏＡ、ＴＯＦ、ＲＳＳＩまたはＲＴＴからの標準偏差とを関連付け得る。ただし、これらは無線ヒートマップに記憶され得る値の例にすぎず、請求される主題はこの点について限定されないことを理解されたい。
【００４１】
[00054]特定の実装形態では、モバイルデバイス１００またはローカルトランシーバ１１５は、サーバ１４０、１５０または１５５から屋内測位動作のための測位支援データを受信し得る。たとえば、そのような測位支援データは、たとえば、測定されたＲＳＳＩおよび／またはＲＴＴに少なくとも部分的に基づいて既知のロケーションに位置する送信機までの範囲を測定することを可能にするために、これらの送信機のロケーションと識別情報とを含み得る。屋内測位動作を助けるための他の測位支援データは、ほんの数例を挙げると、無線ヒートマップ、磁気ヒートマップ、送信機のロケーションおよび識別情報、ルーティング可能性グラフを含み得る。
【００４２】
[00055]特定の実装形態では、ワイヤレスＳＴＡ間の特定のメッセージフローは、上記で説明された測位動作における使用のために、ＳＴＡ間のメッセージの交換からＲＴＴの測定値を取得するために実装され得る。特定の実装形態では、以下で説明されるように、ＳＴＡは、モバイルデバイス（たとえば、モバイルデバイス１００）または固定トランシーバ（たとえば、ＩＥＥＥ規格８０２．１１アクセスポイント、固定Ｂｌｕｅｔｏｏｔｈデバイス、ローカルトランシーバ１１５など）を備え得る。したがって、ワイヤレスＳＴＡ間のメッセージの交換は、ほんの数例を挙げると、モバイルデバイスと固定トランシーバとの間の（たとえば、ワイヤレスリンク１２５を介したモバイルデバイス１００とローカルトランシーバ１１５との間の）、２つのピアモバイルデバイス間の（たとえば、ワイヤレスリンク１５９を介したモバイルデバイス１００ａとモバイルデバイス１００ｂとの間の）、または２つの固定トランシーバ間の（たとえば、ワイヤレスリンク１７９を介したローカルトランシーバ１１５ａとローカルトランシーバ１１５ｂとの間の）メッセージの交換を備え得る。特定の実装形態では、本明細書で説明される様々な技法は、ＩＥＥＥ  Ｐ８０２．１１−ＲＥＶｍｃTM／Ｄ６．０  Ｄｒａｆｔ  Ｓｔａｎｄａｒｄ  ８０２．１１  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ，  Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ  Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）、２０１６年６月（以下「ＩＥＥＥ規格８０２．１１仕様書」）の、必ずしもすべてとは限らないが、いくつかの態様または特徴を組み込み得る。実際、本明細書で説明されるいくつかの特徴がＩＥＥＥ規格８０２．１１では図示、説明または教示されていないことを理解されたい。
【００４３】
[00056]図２は、一実施形態による、「応答」ＳＴＡと「開始」ＳＴＡとを含むワイヤレス局ＳＴＡ間のメッセージフローを示す図である。このコンテキストでは、応答ＳＴＡまたは開始ＳＴＡは、モバイルデバイス（たとえば、モバイルデバイス１００）または固定アクセストランシーバデバイス（たとえば、ローカルトランシーバ１１５）を含むいくつかのトランシーバデバイスのうちのいずれか１つを備え得る。ただし、これらは開始ＳＴＡまたは応答ＳＴＡの例にすぎず、請求される主題はこの点について限定されないことを理解されたい。開始ＳＴＡは、開始ＳＴＡと応答ＳＴＡとの間で送信されるメッセージまたはフレームのタイミングに少なくとも部分的に基づいて、ＲＴＴの１つまたは複数の測定値を取得または算出し得る。本明細書で使用される「メッセージ」および「フレーム」という用語は、互換的に使用される。開始ＳＴＡは、応答ＳＴＡにファインタイミング測定要求メッセージまたはフレーム（「要求」）２０２を送信し、応答して送信されたファインタイミング要求メッセージ肯定応答メッセージまたはフレーム（「Ａｃｋ」）２０４を受信し得る。特定の実装形態では、請求される主題をこの点において限定することなしに、そのようなファインタイミング測定要求メッセージ２０２のコンテンツは、ＩＥＥＥ規格８０２．１１に示されているようなものであり得る。特定の実装形態では、そのようなＡｃｋフレーム２０４は、単に、前に送信されたメッセージの受信のインジケーションを与え得る。開始ＳＴＡは、次いで、応答ＳＴＡから受信された（およびファインタイミング測定要求メッセージの受信に応答して送信された）ファインタイミング測定メッセージまたはフレーム（「Ｍ」）２０６中で与えられたタイムスタンプ値（ｔ１、ｔ４）に少なくとも部分的に基づいて、ＲＴＴ測定値を取得または算出し得る。特定の実装形態では、メッセージフロー図に示されているように、交互ファインタイミング測定メッセージ２０６と、それに続くファインタイミング測定肯定応答メッセージ２０８との複数の交換のシーケンスが、追加のタイムスタンプ値（ｔ１、ｔ２、ｔ３およびｔ４）を作成し得る。
【００４４】
[00057]このコンテキストでは、本明細で言及される「ＦＴＭメッセージ」は、第１のデバイスからの送信の精密な時間のインジケーションを有する少なくとも１つのフィールドを備える、第１のデバイスから第２のデバイスに送信されたメッセージを意味する。上記で説明されたように、ＦＴＭメッセージの送信の時間を示すそのようなフィールドは、受け手の第２のデバイスが、第１のデバイスと第２のデバイスとの間の範囲を示す１つまたは複数のパラメータを計算することを可能にし得る。第１のデバイスによって送信されたＦＴＭメッセージは、第２のデバイスによって送信されたＦＴＭ要求メッセージの受信によって開始され得る。このコンテキストでは、本明細書で言及される「ＦＴＭ要求メッセージ」は、第２のデバイスに１つまたは複数のＦＴＭメッセージの送信を要求する、第１のデバイスに送信されたメッセージを意味する。
【００４５】
[00058]一実施形態によれば、開始ＳＴＡによって送信されたファインタイミング測定（ＦＴＭ）要求メッセージは、開始ＳＴＡに、開始ＳＴＡがＲＴＴ測定値を算出することを可能にするファインタイミング測定を与えるための、応答ＳＴＡとのメッセージの所望の交換を特徴づけるフィールド、パラメータなどを含み得る。ＦＴＭ要求メッセージの受信に応答して、応答ＳＴＡは、開始ＳＴＡがＲＴＴ、または範囲を示す他のパラメータを算出することを可能にする測定値またはパラメータを含む１つまたは複数のＦＴＭメッセージを開始ＳＴＡに送信し得る。
【００４６】
[00059]特定の実装形態では、請求される主題をこの点において限定することなしに、そのようなファインタイミング測定メッセージまたはフレームのコンテンツは、ＩＥＥＥ規格８０２．１１に示されているようなものであり得る。例示的な一実装形態では、開始ＳＴＡは、ＲＴＴ測定値を（ｔ４−ｔ１）−（ｔ３−ｔ２）として算出し得、ここで、ｔ２およびｔ３は、それぞれ、前のファインタイミング測定メッセージまたはフレームの受信の時間および先行する肯定応答メッセージまたはフレームの送信の時間である。開始ＳＴＡは、受信ＳＴＡと応答ＳＴＡとの間の範囲を算出する際の不偏測定雑音の除去のために組み合わせられ得る対応する数のＲＴＴ測定値を取得するために、バースト中で一連のファインタイミング測定要求メッセージを送信し得る。
【００４７】
[00060]ＦＴＭ要求メッセージおよびＦＴＭメッセージは、他のサービスのための（たとえば、インターネットプロトコルメッセージングのための）フレームまたはメッセージに加えてＳＴＡによって送信され得る。空港ターミナルまたはスタジアムイベントなど、高密度ワイヤレストラフィックシナリオでは、ＲＴＴの算出のためのＦＴＭ要求メッセージおよびＦＴＭメッセージの送信は、ＳＴＡにおける利用可能なメッセージング容量にストレスを加え得る。本明細書で説明される特定の実装形態は、ＳＴＡによるより少数のメッセージの送信を使用してＳＴＡ間の範囲の算出のための測定値を取得するためのメッセージの交換を対象とし得る。
【００４８】
[00061]一実施形態によれば、送信デバイスからワイヤレス送信され、受信デバイスにおいて収集されたメッセージのＴＯＦは、送信されたメッセージが、送信時間を示すタイムスタンプ値を含む場合、測定され得る。特定の実装形態では、送信されたメッセージは、受信デバイスにおいて検出可能である符号化シンボルを含んでいるフィールド（たとえば、プリアンブル、ヘッダおよびペイロード）を備え得る。送信されたメッセージを収集し、到着時間を決定するために、受信デバイスは、メッセージによって送信されているシンボルのシーケンス中の特定の１つまたは複数のシンボルを検出または復号し得る。特定のシンボルが、同じく送信されたメッセージ中に含まれるタイムスタンプ値を基準とする場合、受信デバイスは、タイムスタンプ値と特定のシンボルが復号または検出された場合との間の相違するに基づいてＴＯＦ＝ＲＴＴ／２を測定し得る。
【００４９】
[00062]特定のネットワーク中心の測位（ＮＣＰ：network-centric positioning）技法では、アクセスポイント（ＡＰ）は、モバイルデバイスのロケーションを計算するために使用され得る測定値をモバイルデバイスが取得することを要求し得る。たとえば、ＡＰは、モバイルデバイスが、たとえばＩＥＥＥ規格８０２．１１に記載されている複数デバイスで交換されたメッセージ（たとえば、エリア内で動作しているＡＰおよび他のＡＰで交換されたメッセージ）に基づいて測定値を取得することを要求するために、モバイルデバイスにＦＴＭ範囲要求メッセージを送信し得る。図３で示されるように、アクセスポイントＡＰ１は、モバイルデバイスＭＤにＦＴＭ範囲要求メッセージ３０２を送信する。特定の実装形態では、ＦＴＭ範囲報告メッセージ３０２は、ＩＥＥＥ規格８０２．１１に従って送信され得る。モバイルデバイスＭＤは、次いで、単に２つ３つの例を提供するために、たとえば、ＲＴＴまたはＴＯＡのような測定値を取得するために、アクセスポイントＡＰ１、アクセスポイントＡＰ２、およびアクセスポイントＡＰ３と、１つまたは複数のメッセージ交換３０４（例えば、ＦＴＭ要求メッセージおよびＦＴＭメッセージ）を有し得る。モバイルデバイスＭＤは、次いで、例えば、ＩＥＥＥ規格８０２．１１に記載されているアクセスポイントＡＰ１、ＡＰ２、またはＡＰ３、あるいはこれらの組み合わせに対する範囲を示すパラメータ（例えば、測定された範囲、ＲＴＴ測定値、ＴＯＡ測定値、または範囲を示す他の測定値）を含むＦＴＭ範囲報告メッセージ３０８を送信し得る。
【００５０】
[00063]このコンテキストでは、モバイルデバイスＭＤは、少なくとも１つの他の近隣ワイヤレストランシーバデバイスに範囲を示す観測情報（たとえば、メッセージ、信号、等）を取得することができるワイヤレストランシーバデバイスを備えるモバイルデバイスＭＤという点で、「観測ワイヤレストランシーバデバイス」の特定の例を提供する。しかしながら、モバイルデバイスＭＤは、観測ワイヤレトランシーバデバイスの単なる例であり、ワイヤレストランシーバデバイスの他のタイプ（たとえば、固定アクセスポイント）は、請求される手段から逸脱せずに使用されることを理解されたい。さらに、アクセスポイントＡＰ１は、アクセスポイントＡＰ１が、近隣ワイヤレストランシーバデバイスの観測情報を取得する際に観測ワイヤレストランシーバデバイスによって使用され得る、パラメータ、値、等を提供することを備える、観測ワイヤレストランシーバデバイスにメッセージを送信することができるワイヤレストランシーバデバイスを備えるという点で「支援ワイヤレストランシーバデバイス」の特定の例を提供し得る。しかしながら、アクセスポイントＡＰ１は、支援ワイヤレトランシーバデバイスの単なる例であり、ワイヤレストランシーバデバイスの他のタイプ（たとえば、モバイルデバイス）は、請求される手段から逸脱せずに使用されることを理解されたい。
【００５１】
[00064]実施形態によれば、ＦＴＭ範囲要求メッセージ３０２は、アクセスポイントＡＰ１、ＡＰ２、およびＡＰ３のような、近隣ワイヤレストランシーバデバイスで１つまたは複数のメッセージの交換３０４を開始するまたは参加する際にモバイルデバイスＭＤによって使用され得るパラメータを提供し得る。そのようなメッセージの交換３０４は、モバイルデバイスＭＤが、たとえば、ＲＴＴ、ＴＯＦ、または範囲の測定のような、モバイルデバイスＭＤと近隣ワイヤレストランシーバデバイスとの間の範囲を示す１つまたは複数の測定値または観測情報を取得することをできるようにし得る。例示的な一実装形態では、モバイルデバイスＭＤと近隣ワイヤレストランシーバデバイスとの間のメッセージの交換３０４は、上で説明したように、開始ＳＴＡとして動作するモバイルデバイスＭＤおよび応答ＳＴＡとして動作する近隣ワイヤレストランシーバデバイスとして実行され得る。代替の実装形態では、モバイルデバイスＭＤと近隣ワイヤレストランシーバデバイスとの間のメッセージの交換３０４は、上で説明したように、応答ＳＴＡとして動作するモバイルデバイスＭＤおよび開始ＳＴＡとして動作する近隣ワイヤレストランシーバデバイスとして実行され得る。例示の実施形態では、モバイルデバイスＭＤと近隣ワイヤレストランシーバデバイスとの間のネゴシエーション３１０は、後続のメッセージの交換３０４のために開始ＳＴＡおよび応答ＳＴＡのような役割の決定を可能にする。ここで、この特定の例示的な実装形態では、モバイルデバイスＭＤは、開始することとして動作する一方、アクセスポイントＡＰ１、ＡＰ２、およびＡＰ３は、モバイルデバイスＭＤに関して、応答ＳＴＡとして実行し得る。
【００５２】
[00065]図３の特定の実装形態では、支援ワイヤレストランシーバデバイスとして動作するアクセスポイントＡＰ１からのＦＴＭ範囲要求メッセージは、モバイルデバイスＭＤが観測情報または測定値を取得するためにメッセージを交換する特定の近隣ワイヤレストランシーバデバイス（たとえば、ＡＰ２およびＡＰ３）を示し得る。たとえば、ＡＰ１は、１つまたは複数の近隣ワイヤレストランシーバデバイスを特徴づけるパラメータを備える、観測ワイヤレストランシーバデバイスに１つまたは複数の近隣報告メッセージを送信し得る。
【００５３】
[00066]図３は、ＦＴＭ範囲報告メッセージ３０８がＦＴＭ範囲要求メッセージ３０２に応答してＡＰ１に提供される特定の実施形態を対象とする。いくつかの実装形態では、ＡＰ１は、モバイルデバイスＭＤが、メッセージの交換に続いて、モバイルデバイスＭＤをネットワークに関連付ける処理（たとえば、モバイルデバイスＭＤが現場に入るときに実行される認証プロシージャ）の間にＦＴＭ範囲報告を提供することが出来ると決定し得る。ＦＴＭ範囲報告は、応答ＳＡＴと他の近隣のデバイスとの間の範囲を測定および報告するＦＴＭ範囲報告能力を通知する応答ＳＴＡを要求する、開始ＳＴＡのための手段を提供し得、ここで、範囲は、上で説明したＦＴＭプロシージャを使用して決定される。
【００５４】
[00067]一実施形態では、開始ＳＴＡは、メッセージの無線測定（ＲＭ：Radio Measurement）使用可能な能力要素（Enabled Capabilities element）におけるＦＴＭ範囲報告を提供するためのそのアビリティを示すメッセージを応答ＳＴＡからそれが受信するとき、ＦＴＭ範囲報告能力を要求するアビリティを取得し得る。そのようなＲＭ使用可能な能力要素は、単に２〜３例を挙げると、ビーコン、プローブ応答、関連付け要求、関連付け応答、再関連付け要求、および再関連付け応答中に存在し得る。したがって、要求ＳＴＡは、ＳＴＡが関連付けプロセスの手段によってそのサポートが通知された場合、ＦＴＭ範囲報告のためのＳＴＡを要求し得る。ここで、ＦＴＭ範囲要求を要求する特定のＳＴＡのためのアビリティは、一般に、ＳＴＡとのその関連付けに限定される。
【００５５】
[00068]開始ＳＴＡの近隣のＡＰおよびそれ自身で開始ＳＴＡの範囲を取得するために、ＦＴＭプロシージャに参加する応答ＳＴＡによってしばしば所望され得る。しかしながら、開始ＳＴＡがＡＰ（ＦＴＭ応答者）に関連付けられない場合、そのＡＰは、ＦＴＭ範囲報告を取得することが出来得ない。以下で説明される特定の実装形態は、前提条件として応答ＳＴＡと開始ＳＴＡの関連付けを要求しない開始ＳＴＡからＦＴＭ範囲報告を応答ＳＴＡが取得することができるための技法を対象とする。
【００５６】
[00069]図４および図５は、範囲報告を提供するための能力がファインタイミング測定（ＦＴＭ）要求メッセージ中に表される代替の実装形態による、フローチャートである。この特定の実装形態では、第１のワイヤレストランシーバデバイスは、第１および第２のワイヤレストランシーバデバイスが関連付けプロシージャにおいて関連付けられていない場合でさえ、第２のワイヤレストランシーバデバイスがＦＴＭ範囲報告を提供することができると決定し得る。一実施形態では、そのような関連付けプロシージャは、１つまたは複数のデバイスを認証するプロセスを備え、メッセージの管理フレームの交換を通して２つのデバイス間の通信のレベルを確立し得る。本明細書で説明されるいくつかの実施形態の１つの利点は、範囲報告が、たとえば、特定の管理フレームの交換によって関連付けられていないデバイス間で送信され得ることである。
【００５７】
[00070]図４では、開始ＳＴＡ  ＳＴＡ１は、ＳＴＡ１がＦＴＭ範囲報告を提供することができることを示す１つまたは複数のフィールドを含む、応答ＳＴＡ  ＡＰ１に初期ＦＴＭ要求メッセージｉＦＴＭＲ４０２を送信する。この特定の実装形態では、ＳＴＡ  ＳＴＡ１およびＳＴＡ  ＡＰ１は、前もって関連付けられる必要はない。ここで、ＦＴＭ要求メッセージｉＦＴＭＲ４０２は、図６で示されるＦＴＭ要求メッセージ中のフィールドの例における予約ビットＢ４８のような特定のフィールドを備え得る。ＦＴＭ要求メッセージｉＦＴＭＲ４９２に応答して、ＳＴＡ  ＡＰ１は、範囲報告のための要求を表すために、（たとえば、ＦＴＭ要求メッセージｉＦＴＭＲに応答するＦＴＭメッセージのバーストの一部として）ＦＴＭメッセージＦＴＭ＿１  ４０６を送信し得る。たとえば、ＦＴＭ要求メッセージＦＴＭ＿１  ４０６は、図７で示されるＦＴＭ要求メッセージ中のフィールドの例における予約ビットＢ４９のような特定のフィールドを備え得る。（たとえば、フィールドビットＢ４９中の）ＦＴＭメッセージＦＴＭ＿１  ４０６における範囲報告のための要求に応答して、（たとえば、ＦＴＭ要求メッセージｉＦＴＭＲに応答して送信されるＦＴＭメッセージのバースト中の）最後のまたは最終のＦＴＭメッセージＦＴＭｌａｓｔ４１４の受信に続いて、ＳＴＡ  ＳＴＡ１は、ＦＴＭ範囲報告を含む後続の未承諾無線測定フレーム４１８を送信し得る。代替として、図５で示されるように、ＦＴＭメッセージＦＴＭ＿１  ５０６における範囲報告のための要求に応答して、最後のまたは最終のＦＴＭメッセージＦＴＭｌａｓｔ５１８の受信に続いて、ＳＴＡ  ＳＴＡ１は、（たとえば、バースト中のＦＴＭメッセージから取得される測定値に基づく値を含む）範囲報告を備える後続のＦＴＭ要求メッセージＦＴＭＲｅｑｕｅｓｔ５１８を送信し得る。ＦＴＭ要求メッセージＦＴＭＲｅｑｕｅｓｔ５１８は、範囲報告が図８で示されるように「０」に「トリガ」フィールドの値を設定することと、図９で示されるように範囲測定パラメータを含むオプションのサブ要素を設定することとによって含まれることを示し得る。
【００５８】
[00071]図６Ａおよび図６Ｂは、一実施形態による、範囲報告の送信を容易にするためのプロセスのフローチャートである。ブロック６０２において、開始ＳＴＡは、範囲報告を生成するために開始ＳＴＡの能力を示す１つまたは複数のフィールドを備える初期ＦＴＭ要求メッセージ（たとえば、ｉＦＴＭＲ４０２または５０２）を送信し得る。ブロック６０６において、応答ＳＴＡは、ブロック６０２において送信された初期ＦＴＭ要求メッセージを受信し、初期ＦＴＭ要求メッセージに応答して肯定応答メッセージ（たとえば、肯定応答メッセージ４０４または５０４）を送信し得る。肯定応答メッセージは、ブロック６０４で受信され得る。
【００５９】
[00072]このコンテキストでは、本明細書で言及される「範囲報告」は、信号フォーマットのような特定のフォーマットにおける２つのデバイス間の範囲を示す１つまたは複数のパラメータの表現を意味する。１つの特定の実施形態では、範囲報告中の範囲を示すパラメータは、２つのデバイス間のメッセージの交換に、少なくとも部分的に、基づいて計算または決定され、単に範囲を示すパラメータの２〜３の例を提供するために、ＲＴＴ、ＴＯＦ、タイミングパラメータまたは距離を示す１つまたは複数の数字の値を含み得る。さらに、特定の実装形態では、範囲報告は、デバイス間で送信された１つまたは複数のメッセージのフィールド中で送信され得る。しかしながら、これらが、範囲報告の例に過ぎず、また、請求される主題は、この点において限定されるものではないことが理解されるべきである。本明細書で言及されるような「範囲報告を生成する能力」は、範囲報告のパラメータを決定し、別のデバイスに送信されるワイヤレスメッセージのような特定の電子フォーマット中の決定されたパラメータを表す、デバイスのアビリティを意味する。
【００６０】
[00073]図１０は、一実施形態による、範囲報告のための要求がＡＮＱＰクエリ要求メッセージ中で送信されるメッセージフローチャートである。この特定の実装形態では、ＳＴＡ  ＳＴＡ１は、ＳＴＡ  ＳＴＡ１がＦＴＭ範囲報告を提供できることを示すフィールドＢ４８中に値を含む初期ＦＴＭ要求メッセージ１００２を送信する。しかしながら、ＳＴＡ  ＡＰ１からのＦＴＭメッセージＦＴＭ＿１  １００６は、フィールドＢ４９におけるＦＴＭ範囲報告のための任意の要求を示さない。代わりに、ＳＴＡ  ＡＰ１は、ＦＴＭ範囲報告のための要求を示すＩＥＥＥ規格８０２．１１ｕに従うアクセスネットワーククエリプロトコル（ＡＮＱＰ）クエリ要求メッセージを送信し得る。ＡＮＱＰクエリおよびＡＮＱＰクエリ応答の例示の使用は、ＩＥＥＥ８０２．１１仕様書中に見出され得る。たとえば、ＡＮＱＰクエリ要求メッセージは、測定要求フィールド中のＦＴＭ範囲報告のための要求を示し得る（たとえば、ＩＤ＝３８、測定タイプ＝１６）。ＡＮＱＰクエリ要求メッセージに応答して、ＳＴＡ  ＳＴＡ１は、ＦＴＭ範囲報告を備えるＡＮＱＰクエリ応答メッセージを送信する。たとえば、ＡＮＱＰクエリ応答メッセージは、図１２で示されるように、ＩｎｆｏＩＤのために使用されない値を示す、ＧＡＳフレーム１０１４を使用するＦＴＭ範囲報告を含み得る。ＦＴＭ要求メッセージｉＦＴＭＲ１００２は、ＳＴＡ  ＡＰ１からＳＴＡ  ＳＴＡ１に送信されるべきＦＴＭメッセージのバーストのための要求を含み得る。特定の実装形態では、ジェネリック広告サービス（ＧＡＳ）フレーム１０１０におけるＡＮＱＰクエリ要求メッセージおよびＧＡＳフレームサービス１０１４におけるＡＮＱＰクエリ応答メッセージは、（たとえば、ＦＴＭ要求メッセージｉＦＴＭＲ１００２で要求されるような）ＦＴＭメッセージのバーストが処理中の間で、バーストが完了する前に送信され得る。このコンテキストでは、ＧＡＳフレームは、（たとえば、２つのデバイスを関連付けるための）認証の前に、ネットワーク中のデバイス間の広告プロトコルのフレームのレイヤ２搬送を提供し得る。
【００６１】
[00074]図１３で示される代替の実装形態では、第１のＳＴＡ  ＳＴＡ１は、図１４で示されるＲＭ使用可能な能力フィールド（RM Enabled Capabilities）への拡張における無線測定プローブ要求メッセージ１３１０の１つまたは複数のフィールドにおいて、第２のＳＴＡ  ＡＰへのＦＴＭ範囲報告を提供するその能力を示し得る。ここで、第２のＳＴＡ  ＡＰは、ＦＴＭ範囲報告のための要求を含む無線測定要求メッセージ１３０６を送信し得る。無線測定要求メッセージ１３０６に応答して。無線測定要求メッセージ１３０６に応答して無線測定応答メッセージ１３１０を受信すると、ＳＴＡ  ＡＰは、無線測定プローブ応答メッセージ１３１４を送信し得る。ＳＴＡ  ＡＰにより、要求されたＦＴＭ範囲報告を含む無線測定応答メッセージ１３１０の受信まで無線測定プローブ応答メッセージ１３１４の送信を一時中断することで、ＳＴＡ  ＳＴＡ１は、無線測定応答メッセージ１３１０中に、ＳＴＡ  ＡＰへの要求されたＦＴＭ範囲報告を提供するためにメッセージの交換の完了まで同じチャネル上でそのワイヤレストランシーバを維持し得る。
【００６２】
[00075］図１５Ａおよび図１５Ｂは、一実施形態による、範囲報告の送信を容易にするためのプロセスのフローチャートである。ここで、第２のＳＴＡに範囲報告を提供するために、図１５Ａのアクションは、第１のＳＴＡによって実行され、図１５Ｂのアクションは、第２のＳＴＡによって実行され得る。ブロック１５０２は、範囲報告を提供する能力を示す無線測定能力要素を備えるプローブ要求メッセージ（たとえば、プローブ要求メッセージ１３０２）を送信することを備え得る。このコンテキストでは、無線測定能力要素は、無線測定の１つまたは複数の異なるタイプを提供する能力を示す１つまたは複数のシンボルを備える。１つの実装形態では、プローブ要求メッセージは、ＦＴＭ範囲報告に対応する無線測定要求要素の特徴に類似しているフィールドを備え得る。このコンテキストでは、本明細書で言及される「プローブ要求メッセージ」は、特定のワイヤレス送信チャネル上でのネットワークリソースの利用可能性に応じて調査するようにフォーマットされるメッセージを意味する。１つの実装形態では、プローブ要求メッセージは、ブロードキャストアドレス（たとえば、ｆｆ：ｆｆ：ｆｆ：ｆｆ：ｆｆ：ｆｆ）にビーコン信号として送信され得る。プローブ要求メッセージを送信するデバイスは、プローブ要求メッセージに応答して送信されるプローブ応答メッセージを受信するために特定の持続時間待ち受け得る。持続時間の満了時に第１のチャネル上で送信されたプローブ応答メッセージの受信がない場合、デバイスは、第２のチャネル上で後続のプローブ要求メッセージを送信し得る。例示的な実装形態では、プローブ要求メッセージおよびプローブ応答メッセージは、アクティブスキャンプロシージャの一部として実装され得る。このコンテキストでは、本明細書で言及される「プローブ応答メッセージ」は、プローブ要求メッセージに応答して送信されるネットワークリソースの利用可能性を示すメッセージを意味する。たとえば、プローブ要求メッセージに応答して送信されるプローブ応答メッセージは、プローブ要求メッセージが送信される特定のチャネルの利用可能性を示し得る。
【００６３】
[00076]ブロック１５０２において送信された無線測定能力要素を含むプローブ要求メッセージは、ブロック１５１０において受信され得る。このコンテキストでは、本明細書で言及される「無線測定能力要素」は、無線測定の１つまたは複数のタイプを提供するための能力または利用可能性を示す通信フォーマットに従って定義された、メッセージ中の特定のフィールドまたはフィールドの一部を意味する。ブロック１５１２は、ブロック１５０４で受信した、範囲報告を要求する、１つまたは複数のフィールドを備える無線測定要求メッセージ（たとえば、無線測定要求メッセージ１３０６）を送信することを備え得る。ブロック１５０６は、ブロック１５０４で受信したメッセージ中で要求した範囲報告を備える無線測定応答メッセージ（たとえば、無線測定応答メッセージ１３０１）を送信し得る。ブロック１５０６において送信された無線測定応答メッセージは、ブロック１５１４において受信され得る。ブロック１５１６は、ブロック１５１４での無線測定応答メッセージの受信に応答してプローブ応答メッセージ（たとえば、プローブ応答メッセージ１３１４）を送信する。ブロック１５１６において送信されたプローブ応答メッセージは、ブロック１５０８において受信され得る。上記で指摘されたように、ブロック１５１４での無線測定応答メッセージの受信に応答してブロック１５１６においてプローブ応答メッセージを送信することは、無線測定プローブ応答メッセージの送信を一時中断することを可能にし、それは、ワイヤレス局が要求されたＦＴＭ範囲報告を提供するためにメッセージの交換を完了するまで同じチャネル上にワイヤレストランシーバを維持することを可能にする。
【００６４】
[00077]図１３で示された別の実施形態を示す実施形態に対する代替では、図１６は、ＳＴＡ  ＡＰがＡＮＱＰクエリメッセージ中にＦＴＭ範囲報告のための要求を含む特定の実装形態を示す。ＳＴＡ  ＳＴＡ１は、次いで、要求されたＦＴＭ範囲報告メッセージを含むＡＮＱＰ応答メッセージで応答し得る。
【００６５】
[00078］図１７Ａおよび図１７Ｂは、代替の一実施形態による、範囲報告の送信を容易にするためのプロセスのフローチャートである。図１７Ａおよび図１７Ｂのプロセスは、範囲報告がアクセスネットワーククエリプロトコル（ＡＮＱＰ）クエリメッセージ（たとえば、ＡＮＱＰクエリメッセージ１６０６）中で要求され、範囲報告がＡＮＱＰ応答メッセージ（たとえば、ＡＮＱＰ応答メッセージ１６１０）中でブロック１７１６で提供されるという点で異なる。このコンテキストでは、本明細書で言及される「ＡＮＱＰクエリメッセージ」は、第２のデバイスを通してワイヤレスアクセスリソースの利用可能性として調査する第２に、第１のデバイスによって送信されるメッセージを意味する。本明細書で言及される「ＡＮＱＰ応答メッセージ」は、デバイスを通してワイヤレスアクセスリソースの利用可能性を示すＡＮＱＰ要求メッセージの受信に応答してデバイスによって送信されるメッセージを意味する。１つの例示的な実装形態では、ＡＮＱＰ要求メッセージおよびＡＮＱＰ要求メッセージに応答して送信されるＡＮＱＰ応答メッセージは、（たとえば、関連付けプロシージャを通して）デバイスが関連付け状態になる前のデバイス間で交換され得る。
【００６６】
[00079]図１８および図１９に示されている主題は、一実施形態における、たとえば、コンピューティングデバイスの特徴を備え得る。さらに、コンピューティングデバイスという用語は、一般に、少なくとも、通信バスによって接続された１つまたは複数のプロセッサとメモリとを指すことに留意されたい。同様に、少なくとも本開示のコンテキストでは、これは、米国特許法第１１２条（ｆ）の趣旨内の十分な構造を指すと理解され、したがって、「コンピューティングデバイス」、「ワイヤレス局」、「ワイヤレストランシーバデバイス」という用語および／または同様の用語の使用によって米国特許法第１１２条（ｆ）が暗示されないことが明確に意図されるが、直ちに明らかではない何らかの理由で、上記の理解が有効であり得ず、したがって、「コンピューティングデバイス」、「ワイヤレス局」、「ワイヤレストランシーバデバイス」という用語および／または同様の用語の使用によって米国特許法第１１２条（ｆ）が必然的に暗示されると決定された場合、その法定セクションに従って、１つまたは複数の機能を実行するための対応する構造、材料および／または行為は、少なくとも、図６Ａ、図６Ｂ、図１５Ａ、図１５Ｂ、図１７Ａおよび図７Ｂ、および本開示の対応する本文において説明されると理解され、解釈されるものとする。
【００６７】
[00080]図１８は、一実施形態による、モバイルデバイスの概略図である。モバイルデバイス１００（図１）は、図１８に示されているモバイルデバイス１１００の１つまたは複数の特徴を備え得る。いくつかの実施形態では、モバイルデバイス１１００はまた、ワイヤレス通信ネットワーク上でワイヤレスアンテナ１１２２を介してワイヤレス信号１１２３を送信および受信することが可能であるワイヤレストランシーバ１１２１を備え得る。ワイヤレストランシーバ１１２１はワイヤレストランシーババスインターフェース１１２０によってバス１１０１に接続され得る。ワイヤレストランシーババスインターフェース１１２０は、いくつかの実施形態では、ワイヤレストランシーバ１１２１と少なくとも部分的に統合され得る。いくつかの実施形態は、たとえば、ほんの数例を挙げると、ＩＥＥＥ規格８０２．１１のバージョン、ＣＤＭＡ、ＷＣＤＭＡ（登録商標）、ＬＴＥ（登録商標）、ＵＭＴＳ、ＧＳＭ（登録商標）、ＡＭＰＳ、Ｚｉｇｂｅｅ（登録商標）およびＢｌｕｅｔｏｏｔｈなど、対応する複数のワイヤレス通信規格に従って、信号を送信および／または受信することを可能にするために、複数のワイヤレストランシーバ１１２１とワイヤレスアンテナ１１２２とを含み得る。
【００６８】
[00081]モバイルデバイス１１００はまた、ＳＰＳアンテナ１１５８を介してＳＰＳ信号１１５９を受信および収集することが可能なＳＰＳ受信機１１５５を備え得る。ＳＰＳ受信機１１５５はまた、モバイルデバイス１０００のロケーションを推定するために、収集されたＳＰＳ信号１１５９を全体的にまたは部分的に処理し得る。いくつかの実施形態では、（１つまたは複数の）汎用プロセッサ１１１１、メモリ１１４０、（１つまたは複数の）ＤＳＰ１１１２および／または専用プロセッサ（図示せず）も、ＳＰＳ受信機１１５５とともに、収集されたＳＰＳ信号を全体的にまたは部分的に処理し、および／またはモバイルデバイス１１００の推定ロケーションを計算するために利用され得る。測位動作を実行する際の使用のためのＳＰＳまたは他の信号の記憶は、メモリ１１４０またはレジスタ（図示せず）中で実行され得る。
【００６９】
[00082]また、図18に示されている、モバイルデバイス１１００は、バスインターフェース１１１０によってバス１１０１に接続された（１つまたは複数の）デジタル信号プロセッサ（（１つまたは複数の）ＤＳＰ）１１１２と、バスインターフェース１１１０によってバス１１０１に接続された（１つまたは複数の）汎用プロセッサ１１１１と、メモリ１１４０とを備え得る。バスインターフェース１１１０は、（１つまたは複数の）ＤＳＰ１１１２、（１つまたは複数の）汎用プロセッサ１１１１およびメモリ１１４０と統合され得る。様々な実施形態では、ほんの数例を挙げると、ＲＡＭ、ＲＯＭ、ＦＬＡＳＨ、またはディスクドライブなど、コンピュータ可読記憶媒体上になど、メモリ１１４０に記憶された１つまたは複数の機械可読命令の実行応答して、機能が実行され得る。１つまたは複数の命令は、（１つまたは複数の）汎用プロセッサ１１１１、専用プロセッサ、または（１つまたは複数の）ＤＳＰ１１１２によって実行可能であり得る。メモリ１１４０は、本明細書で説明される機能を実行するために（１つまたは複数の）プロセッサ１１１１および／または（１つまたは複数の）ＤＳＰ１１１２によって実行可能であるソフトウェアコード（プログラミングコード、命令など）を記憶する非一時的プロセッサ可読メモリおよび／またはコンピュータ可読メモリを備え得る。特定の実装形態では、ワイヤレストランシーバ１１２１は、上記で説明されたように、モバイルデバイス１１００がワイヤレスＳＴＡとして構成されることを可能にするために、バス１１０１を通して（１つまたは複数の）汎用プロセッサ１１１１および／または（１つまたは複数の）ＤＳＰ１１１２と通信し得る。（１つまたは複数の）汎用プロセッサ１１１１および／または（１つまたは複数の）ＤＳＰ１１１２は、図２〜図４、図５Ａ、図５Ｂ、図６Ａおよび図６Ｂに関して上記で説明されたプロセスの１つまたは複数の態様を実行するための命令を実行し得る。
【００７０】
[00083]特定の一実装形態では、ＦＴＭ測定要求メッセージに応答したＡＣＫメッセージの送信は、汎用プロセッサ１１１１またはＤＳＰ１１１２からの命令または開始なしに、ワイヤレストランシーバデバイス１１２１において実行され得る。一方、ＦＴＭ範囲報告メッセージが、（たとえば、メモリ１１４０に記憶された１つまたは複数の機械可読命令の実行から）汎用プロセッサ１１１１および／またはＤＳＰ１１１２など、プログラマブルデバイスにおいて形成され得る。
【００７１】
[00084]また、図18に示されている、ユーザインターフェース１１３５は、たとえば、ほんの数例を挙げると、スピーカー、マイクロフォン、ディスプレイデバイス、振動デバイス、キーボード、タッチスクリーンなど、いくつかのデバイスのうちのいずれか１つを備え得る。特定の実装形態では、ユーザインターフェース１１３５は、ユーザがモバイルデバイス１１００上にホストされた１つまたは複数のアプリケーションと対話することを可能にし得る。たとえば、ユーザインターフェース１１３５のデバイスは、ユーザからのアクションに応答して（１つまたは複数の）ＤＳＰ１１１２または汎用／アプリケーションプロセッサ１１１１によってさらに処理されるべきアナログ信号またはデジタル信号をメモリ１１４０に記憶し得る。同様に、モバイルデバイス１１００上にホストされたアプリケーションは、出力信号をユーザに提示するためにアナログまたはデジタル信号をメモリ１１４０に記憶し得る。別の実装形態では、モバイルデバイス１１００は、たとえば、専用スピーカー、マイクロフォン、デジタルアナログ回路、アナログデジタル回路、増幅器、および／または利得制御を備える専用オーディオ入出力（Ｉ／Ｏ）デバイス１１７０を随意に含み得る。ただし、これは、オーディオＩ／Ｏがモバイルデバイスにおいてどのように実装され得るかの一例にすぎず、請求される主題はこの点について限定されないことを理解されたい。別の実装形態では、モバイルデバイス１１００は、キーボードまたはタッチスクリーンデバイスにタッチすること、またはそれに対する圧力に応答するタッチセンサー１１６２を備え得る。
【００７２】
[00085]モバイルデバイス１１００はまた、静止画または動画をキャプチャするための専用カメラデバイス１１６４を備え得る。専用カメラデバイス１１６４は、たとえば、ほんの数例を挙げると、イメージングセンサー（たとえば、電荷結合デバイスまたはＣＭＯＳイメージャ）、レンズ、アナログデジタル回路、フレームバッファを備え得る。一実装形態では、キャプチャされた画像を表す信号の追加の処理、調整、符号化または圧縮が、汎用／アプリケーションプロセッサ１１１１または（１つまたは複数の）ＤＳＰ１１１２において実行され得る。代替的に、専用ビデオプロセッサ１１６８が、キャプチャされた画像を表す信号の調整、符号化、圧縮または操作を実行し得る。さらに、専用ビデオプロセッサ１１６８は、モバイルデバイス１１００上のディスプレイデバイス（図示せず）上での提示のために記憶された画像データを復号／復元し得る。
【００７３】
[00086]モバイルデバイス１１００は、たとえば、慣性センサーおよび環境センサーを含み得る、バス１１０１に結合されたセンサー１１６０をも備え得る。センサー１１６０の慣性センサーは、たとえば、（たとえば、３次元におけるモバイルデバイス１１００の加速度にまとめて応答する）加速度計、（たとえば、１つまたは複数のコンパスアプリケーションをサポートするための）１つまたは複数のジャイロスコープまたは１つまたは複数の磁力計を備え得る。モバイルデバイス１１００の環境センサーは、たとえば、ほんの数例を挙げると、温度センサー、気圧センサー、周辺光センサー、カメライメージャ、マイクロフォンを備え得る。センサー１１６０は、メモリ１１４０に記憶され、たとえば、測位またはナビゲーション動作を対象とするアプリケーションなど、１つまたは複数のアプリケーションをサポートする（１つまたは複数の）ＤＰＳまたは汎用／アプリケーションプロセッサ１１１１によって処理され得る、アナログ信号またはデジタル信号を生成し得る。
【００７４】
[00087]特定の実装形態では、モバイルデバイス１１００は、ワイヤレストランシーバ１１２１またはＳＰＳ受信機１１５５において受信され、ダウンコンバートされた信号のベースバンド処理を実行することが可能な専用モデムプロセッサ１１６６を備え得る。同様に、専用モデムプロセッサ１１６６は、ワイヤレストランシーバ１１２１による送信のためにアップコンバートされるべき信号のベースバンド処理を実行し得る。代替実装形態では、専用モデムプロセッサを有する代わりに、ベースバンド処理は汎用プロセッサまたはＤＳＰ（たとえば、汎用／アプリケーションプロセッサ１１１１または（１つまたは複数の）ＤＳＰ１１１２）によって実行され得る。ただし、これらはベースバンド処理を実行し得る構造の例にすぎず、請求される主題はこの点について限定されないことを理解されたい。
【００７５】
[00088]図１９は、たとえば、図１に関して上記で説明された技法またはプロセスを実装するように構成可能な１つまたは複数のデバイスを含み得る例示的なシステム１８００を示す概略図である。システム１８００は、たとえば、ワイヤレス通信ネットワークを通して互いに動作可能に結合され得る第１のデバイス１８０２と、第２のデバイス１８０４と、第３のデバイス１８０６とを含み得る。一態様では、第１のデバイス１８０２は、たとえば、図示のようにアクセスポイントを備え得る。一態様では、第２のデバイス１８０４はアクセスポイント（たとえば、ローカルトランシーバ１１５または基地局トランシーバ１１０）を備え得、第３のデバイス１８０６は移動局またはモバイルデバイスを備え得る。また、一態様では、デバイス１８０２、１８０４および１８０２は、ワイヤレス通信ネットワーク中に含まれ得、たとえば、１つまたは複数のワイヤレスアクセスポイントを備え得る。ただし、請求される主題はこれらの点で範囲が限定されない。
【００７６】
[00089]図１６に示されている第１のデバイス１８０２、第２のデバイス１８０４および第３のデバイス１８０６は、ワイヤレス通信ネットワークを介してデータを交換するように構成可能であり得る任意のデバイス、アプライアンスまたは機械を表し得る。限定ではなく例として、第１のデバイス１８０２、第２のデバイス１８０４、または第３のデバイス１８０６のいずれも、例えば、デスクトップコンピュータ、ラップトップコンピュータ、ワークステーション、サーバデバイス、または同様のもののような１つまたは複数のコンピューティングデバイスあるいはプラットフォーム、例えば、携帯情報端末、モバイル通信デバイス、または同様のもののような１つまたは複数のパーソナルコンピューティングまたは通信デバイスまたは器具、例えば、データベースまたはデータ記憶サービスプロバイダ／システム、ネットワークサービスプロバイダ／システム、インターネットまたはイントラネットサービスプロバイダ／システム、携帯または検索エンジンサービスプロバイダ／システム、ワイヤレス通信サービスプロバイダ／システムのようなコンピューティングシステムまたは関連したサービスプロバイダ機能、あるいはこれらの任意の組み合わせ、を含み得る。第１のデバイス１８０２、第２のデバイス１８０４、および第３のデバイス１８０６のいずれも、本明細書で説明される例によるアクセスポイントまたはモバイルデバイスのうちの１つまたは複数を備え得る。
【００７７】
[00090]同様に、図１９に示されているワイヤレス通信ネットワークは、第１のデバイス１８０２、第２のデバイス１８０４、および第３のデバイス１８０６のうちの少なくとも２つの間でのデータの交換をサポートするように構成可能な１つまたは複数の通信リンク、プロセス、またはリソースを表す。限定ではなく例として、ワイヤレス通信ネットワークは、ワイヤレスまたはワイヤード通信リンク、電話または電気通信システム、データバスまたはチャネル、光ファイバー、地上またはスペースビークルリソース、ローカルエリアネットワーク、ワイドエリアネットワーク、イントラネット、インターネット、ルータまたはスイッチなど、あるいはそれらの任意の組合せを含み得る。たとえば、第３のデバイス１８０６の部分的に不明瞭にされたものとして示されている破線ボックスによって示されるように、ワイヤレス通信ネットワーク１８０８に動作可能に結合された追加の同様のデバイスがあり得る。
【００７８】
[00091]図１９に示されている様々なデバイスおよびネットワーク、ならびに本明細書でさらに説明されるプロセスおよび方法の全部または一部は、ハードウェア、ファームウェア、ソフトウェア、またはそれらの任意の組合せを使用して、またはさもなければ含めて実装され得ることを認識されたい。
【００７９】
[00092]したがって、限定ではなく例として、第２のデバイス１８０４は、バス１８２８を通してメモリ１８２２に動作可能に結合された少なくとも１つの処理ユニット１８２０を含み得る。
【００８０】
[00093]処理ユニット１８２０は、データ算出手順またはプロセスの少なくとも一部分を実行するように構成可能な１つまたは複数の回路を表す。限定ではなく例として、処理ユニット１８２０は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００８１】
[00094]メモリ１８２２は任意のデータ記憶機構を表す。メモリ１８２２は、たとえば、プライマリメモリ１８２４またはセカンダリメモリ１８２６を含み得る。プライマリメモリ１８２４は、たとえば、ランダムアクセスメモリ、読取り専用メモリなどを含み得る。この例では処理ユニット１８２０とは別個であるものとして示されているが、プライマリメモリ１８２４の全部または一部は、処理ユニット１８２０内に設けられるか、またはさもなければ処理ユニット１８２０と共設／結合され得ることを理解されたい。特定の一実装形態では、メモリ１８２２および処理ユニット１８２０は、図２〜図１７Ｂに関して上記で説明されたプロセスの１つまたは複数の態様を実行するように構成され得る。
【００８２】
[00095]セカンダリメモリ１８２６は、たとえば、プライマリメモリと同じまたは同様のタイプのメモリ、あるいは、たとえば、ディスクドライブ、光ディスクドライブ、テープドライブ、ソリッドステートメモリドライブなど、１つまたは複数のデータストレージデバイスまたはシステムを含み得る。いくつかの実装形態では、セカンダリメモリ１８２６は、コンピュータ可読媒体１８４０を動作可能に受容可能であるか、またはさもなければそれに結合するように構成可能であり得る。コンピュータ可読媒体１８４０は、たとえば、システム１８００中のデバイスのうちの１つまたは複数のためにデータ、コードまたは命令を搬送するかまたはアクセス可能にすることができる任意の非一時的媒体を含み得る。コンピュータ可読媒体１８４０は記憶媒体と呼ばれることもある。
【００８３】
[00096]第２のデバイス１８０４は、たとえば、少なくともアンテナ１８０８を介したワイヤレス通信ネットワークへの第２のデバイス１８０４の動作可能な結合を与えるか、またはさもなければそれをサポートする通信インターフェース１８３０を含み得る。限定ではなく例として、通信インターフェース１８３０は、ネットワークインターフェースデバイスまたはカード、モデム、ルータ、スイッチ、トランシーバなどを含み得る。他の代替実装形態では、通信インターフェース１８３０は、ワイヤード／ＬＡＮインターフェース、ワイヤレスＬＡＮインターフェース（たとえば、ＩＥＥＥ規格８０２．１１ワイヤレスインターフェース）および／またはワイドエリアネットワーク（ＷＡＮ）エアインターフェースを備え得る。特定の実装形態では、通信インターフェース１８３０と組み合わせたアンテナ１８０８は、図２〜図１７Ｂに示されている信号の送信および受信を実装するために使用され得る。
【００８４】
[00097]特定の一実装形態では、ＦＴＭ測定要求メッセージに応答したＡＣＫメッセージの送信が、処理ユニット１８３０からの命令または開始なしに、通信インターフェース１８３０において実行され得る。一方、ＦＴＭ範囲報告メッセージが、（たとえば、メモリ１８２０に記憶された１つまたは複数の機械可読命令の実行から）処理ユニット１８２０など、プログラマブルデバイスにおいて形成され得る。
【００８５】
[00098]第２のデバイス１８０４は、たとえば、入出力デバイス１８３２を含み得る。入出力デバイス１８３２は、人間または機械の入力を受け付けるか、またはさもなければそれを導入するように構成可能であり得る１つまたは複数のデバイスまたは特徴、あるいは人間または機械の出力を配信するか、またはさもなければそれを与えるように構成可能であり得る１つまたは複数のデバイスまたは特徴を表す。限定ではなく例として、入出力デバイス１８３２は、動作可能に構成されたディスプレイ、スピーカー、キーボード、マウス、トラックボール、タッチスクリーン、データポートなどを含み得る。
【００８６】
[00099]一実施形態によれば、第１のワイヤレストランシーバデバイスにおける方法は、範囲報告を提供する能力を示す無線測定能力要素を備えるプローブ要求メッセージを送信することと、範囲報告を要求する、１つまたは複数のフィールドを備える無線測定要求メッセージを受信することと、範囲報告を備える無線測定応答メッセージを送信することと、無線測定応答メッセージの送信に続いてプローブ応答メッセージを受信すること、プローブ応答メッセージは、プローブ要求メッセージに応答して送信される、とを備える。
【００８７】
[000100]別の実施形態では、第１のワイヤレストランシーバデバイスにおける方法は、範囲報告を提供する能力を示す無線測定能力要素を備えるプローブ要求メッセージを送信することと、範囲報告を要求する、１つまたは複数のフィールドを備えるアクセスネットワーククエリプロトコル（ＡＮＱＰ）クエリメッセージを受信することと、範囲報告を備えるＡＮＱＰ応答メッセージを送信することと、無線測定応答メッセージの送信に続いてプローブ応答メッセージを受信すること、プローブ応答メッセージは、プローブ要求メッセージに応答して送信される、とを備える。
【００８８】
[000101]別の実施形態では、第１のワイヤレストランシーバデバイスは、ワイヤレストランシーバと、ワイヤレストランシーバに結合されたプロセッサとを備え、プロセッサは、範囲報告を提供する能力を示す無線測定能力要素を備える、ワイヤレストランシーバを通してプローブ要求メッセージの送信を開始することと、範囲報告を要求する、１つまたは複数のフィールドを備える、ワイヤレストランシーバにおいて受信した無線測定要求メッセージを取得することと、範囲報告を備える、ワイヤレストランシーバを通して無線測定応答メッセージの送信を開始することと、無線測定応答メッセージの送信に続いてワイヤレストランシーバにおいて受信したプローブ応答メッセージを取得すること、プローブ応答メッセージは、プローブ要求メッセージに応答して送信される、とを行うように構成される。
【００８９】
[000102]別の実施形態では、第１のワイヤレストランシーバデバイスは、ワイヤレストランシーバと、ワイヤレストランシーバに結合されたプロセッサとを備え、プロセッサは、範囲報告を提供する能力を示す無線測定能力要素を備える、ワイヤレストランシーバを通してプローブ要求メッセージの送信を開始することと、範囲報告を要求する、１つまたは複数のフィールドを備える、ワイヤレストランシーバにおいて受信したＡＮＱＰクエリメッセージを取得することと、範囲報告を備える、ワイヤレストランシーバを通してＡＮＱＰ応答メッセージの送信を開始することと、無線測定応答メッセージの送信に続いてワイヤレストランシーバにおいて受信したプローブ応答メッセージを取得すること、プローブ応答メッセージは、プローブ要求メッセージに応答して送信される、とを行うように構成される。
【００９０】
[000103]別の実施形態は、範囲報告を提供する能力を示す無線測定能力要素を備えるプローブ要求メッセージを送信するための手段と、範囲報告を要求する、１つまたは複数のフィールドを備える無線測定要求メッセージを受信するための手段と、範囲報告を備える無線測定応答メッセージを送信するための手段と、無線測定応答メッセージの送信に続いてプローブ応答メッセージを受信するための手段、プローブ応答メッセージは、プローブ要求メッセージに応答して送信される、とを備える第１のワイヤレストランシーバデバイスを対象とする。
【００９１】
[000104]別の実施形態は、範囲報告を提供する能力を示す無線測定能力要素を備えるプローブ要求メッセージを送信するための手段と、範囲報告を要求する、１つまたは複数のフィールドを備えるＡＮＱＰクエリメッセージを受信するための手段と、範囲報告を備えるＡＮＱＰ応答メッセージを送信するための手段と、無線測定応答メッセージの送信に続いてプローブ応答メッセージを受信するための手段、プローブ応答メッセージは、プローブ要求メッセージに応答して送信される、とを備える、第１のワイヤレストランシーバデバイスを対象とする。
【００９２】
[000105]別の実施形態は、第１のワイヤレストランシーバデバイスのプロセッサによって、範囲報告を提供する能力を示す無線測定能力要素を備えるプローブ要求メッセージの送信を開始することと、範囲報告を要求する、１つまたは複数のフィールドを備える無線測定要求メッセージを取得することと、範囲報告を備える無線測定応答メッセージの送信を開始することと、無線測定応答メッセージの送信に続いてワイヤレストランシーバにおいて受信したプローブ応答メッセージを取得すること、プローブ応答メッセージは、プローブ要求メッセージに応答して送信される、とを行うように実行可能である、その上に記憶されたコンピュータ可読命令を備える非一時的記憶媒体を対象とする。
【００９３】
[000106]別の実施形態は、第１のワイヤレストランシーバデバイスのプロセッサによって、範囲報告を提供する能力を示す無線測定能力要素を備えるプローブ要求メッセージの送信を開始することと、範囲報告を要求する、１つまたは複数のフィールドを備えるアクセスネットワーククエリプロトコル（ＡＮＱＰ）クエリメッセージを取得することと、範囲報告を備えるＡＮＱＰ応答メッセージの送信を開始することと、無線測定応答メッセージの送信に続いてプローブ応答メッセージを受信することと、無線測定応答メッセージの送信に続いてプローブ応答メッセージを取得すること、プローブ応答メッセージは、プローブ要求メッセージに応答して送信される、とを行うように実行可能である、その上に記憶されたコンピュータ可読命令を備える非一時的記憶媒体を対象とする。
【００９４】
[000107]別の実施形態は、第２の局（ＳＴＡ）からファインタイミング測定（ＦＴＭ）要求メッセージを受信することを備える第１のワイヤレスＳＴＡにおける方法を対象とし、ＦＴＭ要求メッセージは、第２のＳＴＡの範囲報告能力を示す１つまたは複数のフィールドを備える。１つの特定の実装形態では、方法は、ＦＴＭ要求メッセージに応答して第１のＳＴＡから１つまたは複数のＦＴＭメッセージを送信することをさらに備える。別の特定の実装形態では、方法は、１つまたは複数のＦＴＭメッセージに、少なくとも部分的に、基づいて、範囲報告を備える未承諾無線測定フレームを第２のＳＴＡから受信することをさらに備える。ここで、１つまたは複数のＦＴＭメッセージのうちの少なくとも１つは、範囲報告のための要求を示す１つまたは複数のフィールドを備える。別の特定の実装形態では、方法は、ＦＴＭメッセージのバーストを介して第１のＳＴＡから複数のＦＴＭメッセージを送信することと、アクセスネットワーククエリプロトコル（ＡＮＱＰ）要求メッセージを送信すること、ＡＮＱＰ要求メッセージは、ＦＴＭメッセージのバーストにおける最後のＦＴＭメッセージの送信の前に第１のＳＴＡによって送信され、ＡＮＱＰ要求メッセージは、範囲報告のための要求を表わす１つまたは複数のフィールドを備える、と、ＡＮＱＰ要求メッセージに応答してＡＮＱＰ応答メッセージを送信することとをさらに備える。
【００９５】
[000108]別の実施形態は、第１のワイヤレストランシーバデバイスにおいて、範囲報告を提供する際に、第２のワイヤレストランシーバデバイスの能力を示す無線測定能力要素を備える、第２のワイヤレストランシーバデバイスから送信されたプローブ要求メッセージを受信することと、範囲報告を要求する、１つまたは複数のフィールドを備える無線測定要求メッセージを送信することと、無線測定を備える無線測定応答メッセージを受信することと、無線測定応答メッセージの受信に応答してプローブ応答メッセージを送信することとを備える方法を対象とする。
【００９６】
[000109]別の実施形態では、第１のワイヤレストランシーバデバイスにおける方法は、ワイヤレストランシーバデバイスにおいて、範囲報告を提供する際に、第２のワイヤレストランシーバデバイスの能力を示す無線測定能力要素を備える、第２のワイヤレストランシーバデバイスから送信されたプローブ要求メッセージを受信することと、範囲報告を要求する、１つまたは複数のフィールドを備える、第２のワイヤレストランシーバデバイスにＡＮＱＰクエリメッセージを送信することと、範囲報告を備えるＡＮＱＰ応答メッセージを受信することと、ＡＮＱＰ応答メッセージの受信に応答してプローブ応答メッセージを送信することとを備える。
【００９７】
[000110]別の実施形態は、ワイヤレストランシーバと、ワイヤレストランシーバに結合されたプロセッサとを備える第１のワイヤレス局（ＳＴＡ）を対象し、プロセッサは、第２のＳＴＡから、ワイヤレストランシーバにおいて受信されたファインタイミング測定（ＦＴＭ）要求メッセージを取得することを行い、ＦＴＭ要求メッセージは、範囲報告を生成するために第１のＳＴＡの能力を示す１つまたは複数のフィールドを備える。特定の実装形態では、プロセッサは、ＦＴＭ要求メッセージに応答して第２のＳＴＡに、ワイヤレストランシーバを通して１つまたは複数のＦＴＭメッセージの送信を開始することを行うようにさらに構成される。別の特定の実装形態では、プロセッサは、１つまたは複数のＦＴＭメッセージに、少なくとも部分的に、基づいて、範囲報告を備える、第２のＳＴＡからワイヤレストランシーバにおいて受信した未承諾無線測定フレームを取得することを行うようにさらに構成される。ここで、１つまたは複数のＦＴＭメッセージのうちの少なくとも１つは、範囲報告のための要求を示す１つまたは複数のフィールドを備え得る。別の特定の実装形態では、プロセッサは、ＦＴＭメッセージのバーストにおける、第２のＳＴＡに、トランシーバデバイスを通して複数のＦＴＭメッセージの送信を開始することと、ワイヤレストランシーバを通してＡＮＱＰ要求メッセージの送信を開始すること、ＡＮＱＰ要求メッセージは、ＦＴＭメッセージのバーストにおける最後のＦＴＭメッセージの送信の前に送信され、ＡＮＱＰ要求メッセージは、範囲報告のための要求を表す１つまたは複数のフィールドを備える、と、ＡＮＱＰ要求メッセージに応答してワイヤレストランシーバ受信され送信されたＡＮＱＰ応答メッセージを取得することとを行うようにさらに構成される。
【００９８】
[000111]別の特定の実装形態は、ワイヤレストランシーバと、ワイヤレストランシーバに結合されたプロセッサとを備える第１のワイヤレストランシーバデバイスを対象とし、プロセッサは、範囲報告を提供する際の第２のワイヤレストランシーバデバイスの能力を示す無線測定能力要素を備える、第２のワイヤレストランシーバデバイスによって送信されワイヤレストランシーバで受信されるプローブ要求メッセージを取得することと、範囲報告を要求する、１つまたは複数のフィールドを備える、ワイヤレストランシーバを通して無線測定要求メッセージの送信を開始することと、範囲報告を備える、第２のワイヤレストランシーバデバイスによって送信されワイヤレストランシーバで受信される無線測定応答メッセージを取得することと、無線測定応答メッセージの受信に応答してワイヤレストランシーバを通してプローブ応答メッセージの送信を開始することとを行うように構成される。
【００９９】
[000112]別の実施形態は、ワイヤレストランシーバと、ワイヤレストランシーバに結合されたプロセッサとを備える第１のワイヤレストランシーバデバイスを対象とし、プロセッサは、範囲報告を提供する際の第２のワイヤレストランシーバデバイスの能力を示す無線測定能力要素を備える、第２のワイヤレストランシーバデバイスによって送信されワイヤレストランシーバで受信されるプローブ要求メッセージを取得することと、範囲報告を要求する、１つまたは複数のフィールドを備える、ワイヤレストランシーバを通してＡＮＱＰクエリメッセージの送信を開始することと、範囲報告を備える、第２のワイヤレストランシーバデバイスによって送信されワイヤレストランシーバで受信されるＡＮＱＰ応答メッセージを取得することと、無線測定応答メッセージの受信に続いて、ワイヤレストランシーバを通してプローブ応答メッセージの送信を開始することとを行うように構成される。
【０１００】
[000113]別の実施形態は、第２のＳＴＡから、ファインタイミング測定（ＦＴＭ）要求メッセージを受信するための手段、ＦＴＭ要求メッセージは、範囲報告を生成するために第２のＳＴＡの能力を示す１つまたは複数のフィールドを備える、と、ＦＴＭメッセージに応答して第２のＳＴＡに肯定応答メッセージを送信するための手段とを備える、第１のワイヤレス局（ＳＴＡ）を対象とする。１つの特定の実装形態では、第１のＳＴＡは、ＦＴＭ要求メッセージに応答して第２のＳＴＡに１つまたは複数のＦＴＭメッセージを送信するための手段をさらに備える。ここで、第１のＳＴＡは、１つまたは複数のＦＴＭメッセージに、少なくとも部分的に、基づいて、範囲報告メッセージを備える未承諾無線測定フレームを第２のＳＴＡから受信するための手段をさらに備える。ここで、１つまたは複数のＦＴＭメッセージのうちの少なくとも１つは、範囲報告のための要求を示す１つまたは複数のフィールドを備える。
【０１０１】
[000114]別の特定の実施形態は、ＦＴＭメッセージのバーストにおいて、第１のＳＴＡに複数のＦＴＭメッセージを送信するための手段と、ＡＮＱＰ要求メッセージを送信するための手段、ＡＮＱＰ要求メッセージは、ＦＴＭメッセージのバーストにおける最後のＦＴＭメッセージの送信の前に第１のＳＴＡによって送信され、ＡＮＱＰ要求メッセージは、範囲報告のための要求を表わす１つまたは複数のフィールドを備える、と、ＡＮＱＰ要求メッセージに応答してＡＮＱＰ応答メッセージを受信するための手段とを備える第１のＳＴＡを対象とする。
【０１０２】
[000115]別の実施形態は、範囲報告を提供する際の、第２のワイヤレストランシーバデバイスの能力を示す無線測定能力要素を備えるプローブ要求メッセージを受信するための手段と、範囲報告を要求する、１つまたは複数のフィールドを備える無線測定要求メッセージを送信するための手段と、範囲報告を備える無線測定応答メッセージを受信するための手段と、無線測定応答メッセージの受信に応答してプローブ応答メッセージを送信するための手段、プローブ応答メッセージは、プローブ要求メッセージに応答してさらに送信される、とを備える第１のワイヤレストランシーバデバイスを対象とする。
【０１０３】
[000116]別の実施形態は、範囲報告を提供する際の、第２のワイヤレストランシーバデバイスの能力を示す無線測定能力要素を備えるプローブ要求メッセージを受信するための手段と、範囲報告を要求する、１つまたは複数のフィールドを備えるＡＮＱＰクエリメッセージを送信するための手段と、範囲報告を備えるＡＮＱＰ応答メッセージを受信するための手段と、ＡＮＱＰ応答メッセージの受信に応答して続いてプローブ応答メッセージを送信するための手段、プローブ要求メッセージは、プローブ要求メッセージに応答してさらに送信される、とを備える第１のワイヤレストランシーバデバイスを対象とする。
【０１０４】
[000117]別の実施形態は、開始の第１のワイヤレス局（ＳＴＡ）のプロセッサによって、第２のＳＴＡから第１のワイヤレス局で受信したファインタイミング測定（ＦＴＭ）要求メッセージを取得することを行うように実行可能である、その上に記憶されたコンピュータ可読命令を備える記憶媒体を対象とし、第１のＦＴＭ要求メッセージは、範囲報告を生成するために第２のＳＴＡの能力を示す１つまたは複数のフィールドを備える。特定の実装形態では、命令は、プロセッサによって、ＦＴＭ要求メッセージに応答して第２のＳＴＡに、１つまたは複数のＦＴＭメッセージの送信を開始することを行うようにさらに実行可能である。別の特定の実装形態では、命令は、プロセッサによって、１つまたは複数のＦＴＭメッセージに、少なくとも部分的に、基づいて範囲報告を備える、第２のＳＴＡによって送信され第１のＳＴＡで受信した未承諾無線測定フレームを取得することを行うようにさらに実行可能である。ここで、１つまたは複数のＦＴＭメッセージのうちの少なくとも１つは、範囲報告のための要求を示す１つまたは複数のフィールドを備える。別の特定の実装形態では、命令は、プロセッサによって、ＦＴＭメッセージのバーストにおける、第２のＳＴＡに、複数のＦＴＭメッセージの送信を開始することと、ＡＮＱＰ要求メッセージの送信を開始すること、ＡＮＱＰ要求メッセージは、ＦＴＭメッセージのバーストにおける最後のＦＴＭメッセージの送信の前に送信され、ＡＮＱＰ要求メッセージは、範囲報告のための要求を表わす１つまたは複数のフィールドを備える、と、ＡＮＱＰ要求メッセージに応答して送信され第１のＳＴＡでワイヤレストランシーバ受信したＡＮＱＰ応答メッセージを取得することとを行うようにさらに実行可能である。
【０１０５】
[000118]別の実施形態は、第１のワイヤレストランシーバデバイスのプロセッサによって、範囲報告を提供する際の第２のワイヤレストランシーバデバイスの能力を示す無線測定能力要素を備える、第２のワイヤレストランシーバデバイスによって送信され第１のワイヤレストランシーバデバイスで受信されるプローブ要求メッセージを取得することと、範囲報告を要求する、１つまたは複数のフィールドを備える無線測定要求メッセージの送信を開始することと、第２のワイヤレストランシーバデバイスによって送信されワイヤレストランシーバで受信される、範囲報告を備える無線測定応答メッセージを取得することと、無線測定応答メッセージの受信に応答してワイヤレストランシーバを通してプローブ応答メッセージの送信を開始すること、プローブ応答メッセージは、プローブ要求メッセージに応答してさらに送信される、とを行うように実行可能である、その上に記憶されたコンピュータ可読命令を備える記憶媒体を対象とする。
【０１０６】
[000119]別の実施形態は、第１のワイヤレストランシーバデバイスのプロセッサによって、範囲報告を提供することの能力を示す無線測定能力要素を備える、第２のワイヤレストランシーバデバイスによって送信され第１のワイヤレストランシーバで受信されるプローブ要求メッセージを取得することと、範囲報告を要求する、１つまたは複数のフィールドを備えるＡＮＱＰクエリメッセージの送信を開始することと、範囲報告を備える、第２のワイヤレストランシーバデバイスで受信される、ＡＮＱＰ応答メッセージを取得することと、ＡＮＱＰ応答メッセージの受信に応答してプローブ応答メッセージの送信を開始すること、プローブ応答メッセージは、プローブ要求メッセージに応答してさらに送信される、とを行うように実行可能である、その上に記憶されたコンピュータ可読命令を備える記憶媒体を対象とする。  
【０１０７】
[0001]  
[0002]本明細書で使用される「アクセスポイント」という用語は、たとえば、ワイヤレスローカルエリアネットワークなど、ワイヤレス通信システムにおける通信を容易にするために使用される任意のワイヤレス通信局および／またはデバイスを含むように意図されるが、請求される主題の範囲はこの点について限定されない。別の態様では、アクセスポイントは、たとえば、ワイヤレスローカルエリアネットワーク（ＷＬＡＮ）アクセスポイントを備え得る。そのようなＷＬＡＮは、一態様では、ＩＥＥＥ規格８０２．１１の１つまたは複数のバージョンと互換性のあるおよび／またはそれに準拠するネットワークを備え得るが、請求される主題の範囲はこの点について限定されない。ＷＬＡＮアクセスポイントは、たとえば、１つまたは複数のモバイルデバイスとインターネットなどのネットワークとの間の通信を与え得る。
【０１０８】
[0003]本明細書で使用される「モバイルデバイス」という用語は、変化する位置ロケーションを時々有し得るデバイスを指す。位置ロケーションの変化は、いくつかの例として、方向、距離、向きなどに対する変化を備え得る。特定の例では、モバイルデバイスは、セルラー電話、ワイヤレス通信デバイス、ユーザ機器、ラップトップコンピュータ、他のパーソナル通信システム（ＰＣＳ）デバイス、携帯情報端末（ＰＤＡ）、パーソナルオーディオデバイス（ＰＡＤ）、ポータブルナビゲーションデバイス、および／または他のポータブル通信デバイスを備え得る。モバイルデバイスは、機械可読命令によって制御される機能を実行するように適合されたプロセッサおよび／またはコンピューティングプラットフォームをも備え得る。
【０１０９】
[0004]本明細書で説明された方法は、特定の例に従って適用例に応じて様々な手段によって実装され得る。たとえば、そのような方法は、ハードウェア、ファームウェア、ソフトウェア、またはそれらの組合せで実装され得る。ハードウェア実装形態では、たとえば、処理ユニットは、１つまたは複数の特定用途向け集積回路（「ＡＳＩＣ」）、デジタル信号プロセッサ（「ＤＳＰ」）、デジタル信号処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書で説明された機能を実行するように設計された他のデバイスユニット、またはそれらの組合せ内に実装され得る。
【０１１０】
[0005]アルゴリズム的記述および／または象徴的表現は、作業の要旨を他の当業者に伝達するための、信号処理および／または関連技術における当業者によって使用される技法の例である。アルゴリズムは、ここでは、また一般的に、所望の結果に至る、首尾一貫した動作のシーケンスおよび／または類似した信号処理である。このコンテキストでは、動作および／または処理は、物理量の物理的な操作を含む。通常、必ずではないが、このような量は、記憶され、転送され、組み合わせられ、比較され、処理されるか、またはそうでなければ、信号測定値、テキスト、イメージ、ビデオ、オーディオなどのようなコンテンツの様々な形態を表す電子信号および／または状態として操作されることが可能な、電子および／または磁気信号および／または状態の形態を取り得る。主に一般的な用法という理由で、そのような物理的信号および／または物理的状態を、ビット、バイト、値、要素、記号、特徴、文字、項、数、数字、式、メッセージ、フィールド、識別子フレーム、測定値、コンテンツなどと呼ぶことが時々便利であることがわかっている。ただし、これらおよび／または同様の用語のすべては、適切な物理量に関連付けられるべきであり、便利なラベルにすぎないことを理解されたい。別段の記載がない限り、先の考察から明らかなように、本明細書全体を通じて、「処理すること」、「計算すること」、「算出すること」、「決定すること」、「確立すること」、「取得すること」、「取得すること」、「識別すること」、「選択すること」、「生成すること」などの用語および／または同様のものを用いた考察が、特殊目的コンピュータおよび／または同様の特殊目的電子コンピューティングデバイス、および／またはネットワークデバイスなどの特定の装置のアクションまたは処理を指し得ることが認識される。従って、本明細書のコンテキストでは、特殊目的コンピュータおよび／または類似する特殊目的コンピューティングおよび／またはネットワークデバイスは、通常、メモリ内の物理的な電子および／または磁気量、レジスタ、および／または他の記憶デバイス、送信デバイス、および／または特殊目的コンピュータおよび／または類似する特殊目的コンピューティングおよび／またはネットワークデバイスのディスプレイデバイスとして表される、信号および／または状態を、処理、操作、および／または変換することが可能である。この特定の特許出願のコンテキストでは、記載されるように、「特定の装置」という用語は、一旦、それがプログラムソフトウェアからの命令に従って特定の機能を行うためにプログラムされると、多用途コンピュータなどの多用途コンピューティングおよび／またはネットワークデバイスを含み得る。
【０１１１】
[0006]いくつかの状況において、例えば、バイナリ１からバイナリ０へと、あるいは逆もまた同様に、状態が変化するなどのメモリデバイスの動作は、物理変換などの変換を備え得る。特定のタイプのメモリデバイスでは、そのような物理的変換は、異なる状態または物への物品の物理的変換を備え得る。たとえば、限定はしないが、いくつかのタイプのメモリデバイスの場合、状態の変化は、電荷の累積および／または蓄積、あるいは蓄積された電荷の解放を伴い得る。同様に、他のメモリデバイスでは、状態の変化は、磁気方位の変換、および／あるいは、結晶状からアモルファスへの、またはその逆などの、分子構造の物理的変化および／または変換など、物理的変化を備え得る。さらに他のメモリデバイスでは、物理的状態の変化は、たとえば、量子ビット（キュビット）を伴い得る、重ね合わせ、絡み合いなど、量子力学的現象を伴い得る。上記は、メモリデバイスにおけるバイナリ１からバイナリ０への、またはその逆の状態の変化が物理的変換などの変換を備え得る、すべての例の網羅的なリストであることを意図されない。むしろ、上記は例示的な例として意図される。
【０１１２】
[0007]本明細書で説明されたワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）などの様々なワイヤレス通信ネットワークに関連し得る。このコンテキストでは、「ワイヤレス通信ネットワーク」は、１つまたは複数のワイヤレス通信リンクを通して互いと通信することが可能な複数のデバイスまたはノードを備える。たとえば、図１に示されているように、ワイヤレス通信ネットワークは、モバイルデバイス１００ａ、１００ｂ、１１５ａおよび１１５ｂからの２つまたはそれ以上のデバイスを備え得る。「ネットワーク」および「システム」という用語は、本明細書では互換的に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記のネットワークの任意の組合せなどであり得る。ＣＤＭＡネットワークは、ほんのいくつかの無線技術を挙げれば、ｃｄｍａ２０００、広帯域ＣＤＭＡ（「Ｗ−ＣＤＭＡ（登録商標）」）などの１つまたは複数の無線アクセス技術（「ＲＡＴ」）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（「ＧＳＭ」：Global System for Mobile Communications）、デジタルアドバンストモバイルフォンシステム（「Ｄ−ＡＭＰＳ」：Digital Advanced Mobile Phone System）、または何らかの他のＲＡＴを実装し得る。ＧＳＭおよびＷ−ＣＤＭＡは、「第３世代パートナーシッププロジェクト」（「３ＧＰＰ（登録商標）」：3rd Generation Partnership Project）と称する団体からの文書に記載されている。ｃｄｍａ２０００は、「第３世代パートナーシッププロジェクト２」（「３ＧＰＰ２」：3rd Generation Partnership Project 
2）と称する団体からの文書に記載されている。３ＧＰＰおよび３ＧＰＰ２の文書は公的に入手可能である。４Ｇロングタームエボリューション（「ＬＴＥ」）通信ネットワークも、一態様において、請求される主題に従って実装され得る。ＷＬＡＮはＩＥＥＥ８０２．１１ｘネットワークを備え得、ＷＰＡＮは、たとえば、Ｂｌｕｅｔｏｏｔｈネットワーク、ＩＥＥＥ８０２．１５ｘを備え得る。本明細書で説明されたワイヤレス通信実装形態はまた、ＷＷＡＮ、ＷＬＡＮまたはＷＰＡＮの任意の組合せとともに使用され得る。
【０１１３】
[0008]別の態様では、前述のように、ワイヤレス送信機またはアクセスポイントは、セルラー電話サービスを会社または家庭に延長するために利用されるフェムトセルを備え得る。そのような実装形態では、１つまたは複数のモバイルデバイスは、たとえば、符号分割多元接続（「ＣＤＭＡ」）セルラー通信プロトコルを介してフェムトセルと通信し得、フェムトセルは、インターネットなどの別のブロードバンドネットワークを介してより大きいセルラー電気通信ネットワークへのアクセスをモバイルデバイスに与え得る。
【０１１４】
[0009]本明細書で説明された技法は、いくつかのＧＮＳＳおよび／またはＧＮＳＳの組合せのうちのいずれか１つを含むＳＰＳとともに使用され得る。さらに、そのような技法は、「スードライト（pseudolite）」として働く地上波送信機、またはＳＶとそのような地上波送信機との組合せを利用する測位システムとともに使用され得る。地上波送信機は、たとえば、ＰＮコードまたは（たとえば、ＧＰＳまたはＣＤＭＡセルラー信号と同様の）他のレンジングコードをブロードキャストする地上送信機を含み得る。そのような送信機は、遠隔受信機による識別を可能にするように一意のＰＮコードを割り当てられ得る。地上波送信機は、たとえば、トンネルの中、鉱山内、建築物の中、ビルの谷間または他の閉じられたエリア内などの、周回するＳＶからのＳＰＳ信号が利用できないことがある状況においてＳＰＳを補強するのに有用であり得る。スードライトの別の実装形態は無線ビーコンとして知られている。本明細書で使用される「ＳＶ」という用語は、スードライト、スードライトの等価物、および場合によっては他のものとして働く地上波送信機を含むものとする。本明細書で使用される「ＳＰＳ信号」および／または「ＳＶ信号」という用語は、スードライトまたはスードライトの等価物として働く地上波送信機を含む、地上波送信機からのＳＰＳ様の信号を含むものとする。
【０１１５】
[00010]同様に、このコンテキストでは、「結合される」、「接続される」という用語、および／または類似する用語が一般に使用されている。これらの用語が同義であるとは意図されていないことが理解されるべきである。むしろ、「接続される」は、一般に、２つ以上のコンポーネントが、例えば直接物理的に電子的接続を含んでいることを示すために使用され、一方、「結合される」は、一般に、２つ以上のコンポーネントが、潜在的に直接物理的に電子的接続を含んでいることを意味するために使用されるが、「結合される」もまた、一般に、２つ以上のコンポーネントが必ずしも直接接続ではないことも意味するために使用されるが、それにも関わらず、共同および／または相互作用することができることを意味する。結合されるという用語もまた、一般に、例えば、適切なコンテキストでは、間接的に接続されることを意味することが理解される。
【０１１６】
[00011]本明細書で使用される場合、「および」、「または」、「および／または」、および／または類似する用語は、このような用語が使用される特定のコンテキストに少なくとも部分的に依存することが予期される、様々な意味を含む。通常、「または」は、Ａ、Ｂ、またはＣなどのリストを関連付けるように使用される場合、本明細書で包括的な感覚で使用される、Ａ、Ｂ、およびＣ、と同様に、本明細書で排他的な感覚で使用される、Ａ、Ｂ、またはＣ、を意味することが意図される。加えて、「１つまたは複数の」および／または類似する用語は、単数形では、任意の特徴、構造、および／または特性を説明するために使用される、および／または、複数形を説明するためも使用される、および／または、特徴、構造、および／または特性のいくつかの他の組み合わせを説明するためにも使用され得る。同様に、「〜に基づく」という用語および／または同様の用語は、ファクタの包括的セットを伝えることを必ずしも意図するものではないが、必ずしも強調して説明されない追加のファクタの存在が理解される。当然ながら、前述のものの全てについて、説明および／または使用の特定のコンテキストが、描かれる推論に関する便利な指標を提供する。下記の説明は、単に、１つまたは複数の例示となる例および本願請求項に記載される主題事項が、これら１つまたは複数の例に限定されるものではないが、さらに、説明および／または使用の特定のコンテキストが、描かれる推論に関して便利な指標を提供することに留意されたい。
【０１１７】
[00012]このコンテキストでは、ネットワークデバイスという用語は、ネットワークを介しておよび／またはネットワークの一部として通信することが可能な任意のデバイスを指し、コンピューティングデバイスを備え得る。ネットワークデバイスは、ワイヤードおよび／またはワイヤレスネットワークを介してなど、信号（たとえば、信号パケットおよび／またはフレーム）を送信および／または受信することが可能であり得るが、ネットワークデバイスはまた、物理的メモリ状態としてメモリ中でなど、算術および／または論理演算を実行すること、信号を処理および／または記憶することが可能であり得、ならびに／あるいは、たとえば、様々な実施形態では、サーバとして動作し得る。サーバなどとして動作することが可能なネットワークデバイスは、例として、専用ラックマウント式サーバ、デスクトップコンピュータ、ラップトップコンピュータ、セットトップボックス、タブレット、ネットブック、スマートフォン、ウェアラブルデバイス、上記のデバイスの２つまたはそれ以上の特徴を組み合わせた集積デバイスなど、またはそれらの任意の組合せを含み得る。信号パケットおよび／またはフレームは、たとえば、ワイヤレスネットワークを介して結合されたワイヤレスデバイス間を含む、たとえば、サーバとクライアントデバイスとの間、および／または他のタイプのネットワークデバイス間などで交換され得る。サーバ、サーバデバイス、サーバコンピューティングデバイス、サーバコンピューティングプラットフォームという用語および／または同様の用語は互換的に使用されることに留意されたい。同様に、クライアント、クライアントデバイス、クライアントコンピューティングデバイス、クライアントコンピューティングプラットフォームという用語および／または同様の用語も互換的に使用される。いくつかの事例では、説明を容易にするために、これらの用語は、「クライアントデバイス」または「サーバデバイス」などと呼ばれることによって単数形で使用され得るが、この表現は、必要に応じて、１つまたは複数のクライアントデバイスおよび／または１つまたは複数のサーバデバイスを含むことが意図される。似たような路線で、「データベース」への言及は、必要に応じて、１つまたは複数のデータベースおよび／またはそれらの一部分を意味することが理解される。
【０１１８】
[00013]説明を容易にするために、ネットワークデバイス（ネットワーキングデバイスとも呼ばれる）は、コンピューティングデバイスの観点から具現化および／または説明され得ることが理解されるべきである。しかしながら、この説明は、本願請求項に記載される主題事項が、コンピューティングデバイスおよび／またはネットワークデバイスなどの１つの実施形態に限定されると解釈されるべきではなく、むしろ、例えば、１つまたは複数の説明のための例を含む、様々なデバイスまたはそれらの組み合わせとして具現化され得ることがさらに理解されるべきである。本明細書全体にわたる一実装形態、実装形態、一実施形態、実施形態などへの言及は、特定の実装形態および／または実施形態に関して説明された特定の特徴、構造、および／または特性が、請求される主題の少なくとも１つの実装形態および／または実施形態に含まれることを意味する。したがって、たとえば、本明細書全体にわたる様々な箇所でのそのような句の出現は、必ずしも同じ実装形態または説明された特定の一実装形態を指すことを意図されるとは限らない。さらに、説明された特定の特徴、構造、および／または特性は、たとえば、１つまたは複数の実装形態では、様々な方法で組み合わせられることが可能であり、したがって、意図された特許請求の範囲内にあることを理解されたい。概して、もちろん、これらおよび他の問題はコンテキストによって異なる。したがって、説明および／または使用の特定のコンテキストは、引き出されるべき推論に関する有用なガイダンスを与える。現在例示的な特徴と考えられることが例示され説明されたが、請求される主題から逸脱することなく、様々な他の修正が行われ得、均等物が代用され得ることが、当業者には理解されよう。さらに、本明細書で説明された中心概念から逸脱することなく、請求される主題の教示に特定の状況を適合させるための多くの修正が行われ得る。したがって、請求される主題は、開示された特定の例に限定されず、そのような請求される主題はまた、添付の特許請求の範囲内に入るすべての態様とそれらの均等物とを含み得るものとする。
【図１】
2018537928.tif 000003
【図２】
2018537928.tif 000004
【図３】
2018537928.tif 000005
【図４】
2018537928.tif 000006
【図５】
2018537928.tif 000007
【図６Ａ】
2018537928.tif 000008
【図６Ｂ】
2018537928.tif 000009
【図７】
2018537928.tif 000010
【図８】
2018537928.tif 000011
【図９】
2018537928.tif 000012
【図１０】
2018537928.tif 000013
【図１１】
2018537928.tif 000014
【図１２】
2018537928.tif 000015
【図１３】
2018537928.tif 000016
【図１４】
2018537928.tif 000017
【図１５Ａ】
2018537928.tif 000018
【図１５Ｂ】
2018537928.tif 000019
【図１６】
2018537928.tif 000020
【図１７Ａ】
2018537928.tif 000021
【図１７Ｂ】
2018537928.tif 000022
【図１８】
2018537928.tif 000023
【図１９】
2018537928.tif 000024
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
第１のワイヤレス局（ＳＴＡ）において、
ファインタイミング測定（ＦＴＭ）要求メッセージを第２のＳＴＡに送信すること、前記ＦＴＭ要求メッセージは、範囲報告を提供する前記第１のＳＴＡの能力を示す１つまたは複数のフィールドを備える、と、
前記ＦＴＭ要求メッセージに応答して前記第２のＳＴＡから送信された肯定応答メッセージを受信することと
を備える、方法。
【請求項２】
前記ＦＴＭ要求メッセージに応答して前記第２のＳＴＡから１つまたは複数のＦＴＭメッセージを受信することをさらに備える、
請求項１に記載の方法。
【請求項３】
前記１つまたは複数のＦＴＭメッセージに、少なくとも部分的に、基づいて、前記範囲報告を備える未承諾無線測定フレームを前記第２のＳＴＡに送信することをさらに備える、
請求項２に記載の方法。
【請求項４】
前記１つまたは複数のＦＴＭメッセージのうちの少なくとも１つは、前記範囲報告のための要求を示す１つまたは複数のフィールドを備える、
請求項２に記載の方法。
【請求項５】
ＦＴＭメッセージのバーストを介して第２のＳＴＡから複数のＦＴＭメッセージを受信することと、
アクセスネットワーククエリプロトコル（ＡＮＱＰ）要求メッセージを受信すること、前記ＡＮＱＰ要求メッセージは、ＦＴＭメッセージの前記バースト中の最後のＦＴＭメッセージの送信前に前記応答するＳＴＡによって送信され、前記ＡＮＱＰ要求メッセージは、前記範囲報告のための要求を表す１つまたは複数のフィールドを備える、と、
前記ＡＮＱＰ要求メッセージに応答してＡＮＱＰ応答メッセージを送信することと
を備える、請求項１に記載の方法。
【請求項６】
第１のワイヤレス局（ＳＴＡ）において、
ワイヤレストランシーバと、
前記ワイヤレストランシーバに結合されたプロセッサとを備え、前記プロセッサは、
第２のＳＴＡに前記ワイヤレストランシーバを通してファインタイミング測定（ＦＴＭ）要求メッセージの送信を開始すること、前記ＦＴＭ要求メッセージは、範囲報告を提供する前記第１のＳＴＡの能力を示す１つまたは複数のフィールドを備える、と
を行う、第１のＳＴＡ。
【請求項７】
前記プロセッサは、
前記ＦＴＭ要求メッセージに応答して前記第２のＳＴＡから前記ワイヤレストランシーバにおいて１つまたは複数のＦＴＭメッセージを取得することを行うようにさらに構成される、
請求項６に記載の第１のＳＴＡ。
【請求項８】
前記プロセッサは、
前記１つまたは複数のＦＴＭメッセージに、少なくとも部分的に、基づいて、範囲報告を備える未承諾無線測定フレームの送信を前記第２のＳＴＡに前記ワイヤレストランシーバを通して開始することを行うようにさらに構成される、
請求項７に記載の第１のＳＴＡ。
【請求項９】
前記１つまたは複数のＦＴＭメッセージのうちの少なくとも１つは、範囲報告のための要求を示す１つまたは複数のフィールドを備える、
請求項８に記載の第１のＳＴＡ。
【請求項１０】
前記プロセッサは、
ＦＴＭメッセージのバーストにおいて、前記第２のＳＴＡから受信した複数のＦＴＭメッセージを前記トランシーバデバイスにおいて取得することと、
前記ワイヤレストランシーバにおいて受信したＡＮＱＰ要求メッセージを取得すること、前記ＡＮＱＰ要求メッセージは、ＦＴＭメッセージの前記バースト中の最後のＦＴＭメッセージの送信前に前記第２のＳＴＡによって送信され、前記ＡＮＱＰ要求メッセージは、範囲報告のための要求を表す１つまたは複数のフィールドを備える、と、
前記ＡＮＱＰ要求メッセージに応答して前記ワイヤレストランシーバを通してＡＮＱＰ応答メッセージの送信を開始することと
を行うようにさらに構成される、請求項６に記載の第１のＳＴＡ。
【請求項１１】
第１のワイヤレス局（ＳＴＡ）において、
第２のＳＴＡにファインタイミング測定（ＦＴＭ）要求メッセージの送信するための手段、前記初期ＦＴＭ要求メッセージは、範囲報告を提供する前記開始ＳＴＡの能力を示す１つまたは複数のフィールドを備える、と、
前記ＦＴＭメッセージに応答して前記第２のＳＴＡから送信された肯定応答メッセージを受信するための手段と
を備える、第１のＳＴＡ。
【請求項１２】
前記ＦＴＭ要求メッセージに応答して前記第２のＳＴＡから１つまたは複数のＦＴＭメッセージを受信するための手段をさらに備える、
請求項１１に記載の第１のＳＴＡ。
【請求項１３】
前記１つまたは複数のＦＴＭメッセージに、少なくとも部分的に、基づいて、範囲報告を備える未承諾無線測定フレームを前記応答ＳＴＡに送信するための手段をさらに備える、
請求項１２に記載の第１のＳＴＡ。
【請求項１４】
前記１つまたは複数のＦＴＭメッセージのうちの少なくとも１つは、範囲報告のための要求を示す１つまたは複数のフィールドを備える、
請求項１２に記載の第１のＳＴＡ。
【請求項１５】
ＦＴＭメッセージのバーストにおいて前記第２のＳＴＡから複数のＦＴＭメッセージを受信するための手段と、
ＡＮＱＰ要求メッセージを受信するための手段、前記ＡＮＱＰ要求メッセージは、ＦＴＭメッセージの前記バースト中の最後のＦＴＭメッセージの送信前に前記第２のＳＴＡによって送信され、前記ＡＮＱＰ要求メッセージは、範囲報告のための要求を表す１つまたは複数のフィールドを備える、と、
前記ＡＮＱＰ要求メッセージに応答してＡＮＱＰ応答メッセージを送信するための手段と
を備える、請求項１１に記載の第１のＳＴＡ。
【請求項１６】
開始の第１のワイヤレス局（ＳＴＡ）のプロセッサによって、
第２のＳＴＡにファインタイミング測定（ＦＴＭ）要求メッセージの送信を開始すること
を実行可能である、その上に記憶されたコンピュータ可読命令を備え、前記第１のＦＴＭ要求メッセージは、範囲報告を提供する前記第１のＳＴＡの能力を示す１つまたは複数のフィールドを備える、
非一時的記憶媒体。
【請求項１７】
前記命令は、前記プロセッサによって、
前記ＦＴＭ要求メッセージに応答して前記第２のＳＴＡから前記ワイヤレストランシーバにおいて１つまたは複数のＦＴＭメッセージを取得することを行うようにさらに実行可能である、
請求項１６に記載の記憶媒体。
【請求項１８】
前記命令は、前記プロセッサによって、
前記１つまたは複数のＦＴＭメッセージに、少なくとも部分的に、基づいて、範囲報告を備える未承諾無線測定フレームの送信を前記第２のＳＴＡに前記ワイヤレストランシーバを通して開始することを行うようにさらに実行可能である、
請求項１７に記載の記憶媒体。
【請求項１９】
前記１つまたは複数のＦＴＭメッセージのうちの少なくとも１つは、範囲報告のための要求を示す１つまたは複数のフィールドを備える、
請求項１７に記載の記憶媒体。
【請求項２０】
前記命令は、前記プロセッサによって、
ＦＴＭメッセージのバーストにおいて、前記第２のＳＴＡから複数のＦＴＭメッセージを取得することと、
ＡＮＱＰ要求メッセージを取得すること、前記ＡＮＱＰ要求メッセージは、ＦＴＭメッセージの前記バースト中の最後のＦＴＭメッセージの送信前に前記第２のＳＴＡによって送信され、前記ＡＮＱＰ要求メッセージは、範囲報告のための要求を表す１つまたは複数のフィールドを備える、と、
前記ＡＮＱＰ要求メッセージに応答してＡＮＱＰ応答メッセージの送信を開始することと
を行うようにさらに実行可能である、請求項１６に記載の記憶媒体。
【請求項２１】
前記第１のＳＴＡは、前記ＦＴＭ要求メッセージの送信の前に前記第２のＳＴＡと関連付けらておらず、前記ＦＴＭ要求メッセージは、前記範囲報告を提供する前記第１のＳＴＡの前記能力を示す前記１つまたは複数のフィールドを備える、
請求項１に記載の方法。
【請求項２２】
前記第１のＳＴＡは、前記ＦＴＭ要求メッセージの送信の前に前記第２のＳＴＡと関連付けらておらず、前記ＦＴＭ要求メッセージは、前記範囲報告を提供する前記第１のＳＴＡの前記能力を示す前記１つまたは複数のフィールドを備える、
請求項６に記載の第１のＳＴＡ。
【請求項２３】
前記第１のＳＴＡは、前記ＦＴＭ要求メッセージの送信の前に前記第２のＳＴＡと関連付けらておらず、前記ＦＴＭ要求メッセージは、前記範囲報告を提供する前記第１のＳＴＡの前記能力を示す前記１つまたは複数のフィールドを備える、
請求項１１に記載の第１のＳＴＡ。
【請求項２４】
前記第１のＳＴＡは、前記ＦＴＭ要求メッセージの送信の前に前記第２のＳＴＡと関連付けらておらず、前記ＦＴＭ要求メッセージは、前記範囲報告を提供する前記第１のＳＴＡの前記能力を示す前記１つまたは複数のフィールドを備える、
請求項１６に記載の記憶媒体。
【手続補正２】
【補正対象書類名】明細書
【補正対象項目名】０１１８
【補正方法】変更
【補正の内容】
【０１１８】
[00013]説明を容易にするために、ネットワークデバイス（ネットワーキングデバイスとも呼ばれる）は、コンピューティングデバイスの観点から具現化および／または説明され得ることが理解されるべきである。しかしながら、この説明は、本願請求項に記載される主題事項が、コンピューティングデバイスおよび／またはネットワークデバイスなどの１つの実施形態に限定されると解釈されるべきではなく、むしろ、例えば、１つまたは複数の説明のための例を含む、様々なデバイスまたはそれらの組み合わせとして具現化され得ることがさらに理解されるべきである。本明細書全体にわたる一実装形態、実装形態、一実施形態、実施形態などへの言及は、特定の実装形態および／または実施形態に関して説明された特定の特徴、構造、および／または特性が、請求される主題の少なくとも１つの実装形態および／または実施形態に含まれることを意味する。したがって、たとえば、本明細書全体にわたる様々な箇所でのそのような句の出現は、必ずしも同じ実装形態または説明された特定の一実装形態を指すことを意図されるとは限らない。さらに、説明された特定の特徴、構造、および／または特性は、たとえば、１つまたは複数の実装形態では、様々な方法で組み合わせられることが可能であり、したがって、意図された特許請求の範囲内にあることを理解されたい。概して、もちろん、これらおよび他の問題はコンテキストによって異なる。したがって、説明および／または使用の特定のコンテキストは、引き出されるべき推論に関する有用なガイダンスを与える。現在例示的な特徴と考えられることが例示され説明されたが、請求される主題から逸脱することなく、様々な他の修正が行われ得、均等物が代用され得ることが、当業者には理解されよう。さらに、本明細書で説明された中心概念から逸脱することなく、請求される主題の教示に特定の状況を適合させるための多くの修正が行われ得る。したがって、請求される主題は、開示された特定の例に限定されず、そのような請求される主題はまた、添付の特許請求の範囲内に入るすべての態様とそれらの均等物とを含み得るものとする。
以下に、本願出願の当初の特許請求の範囲に記載された発明を付記する。
［Ｃ１］
第１のワイヤレス局（ＳＴＡ）において、
ファインタイミング測定（ＦＴＭ）要求メッセージを第２のＳＴＡに送信すること、前記ＦＴＭ要求メッセージは、前記第１のＳＴＡの距離報告能力を示す１つまたは複数のフィールドを備える、と、
前記ＦＴＭ要求メッセージに応答して前記第２のＳＴＡから送信された肯定応答メッセージを受信することと
を備える、方法。
［Ｃ２］
前記ＦＴＭ要求メッセージに応答して前記第２のＳＴＡから１つまたは複数のＦＴＭメッセージを受信することをさらに備える、
［Ｃ１］に記載の方法。
［Ｃ３］
前記１つまたは複数のＦＴＭメッセージに、少なくとも部分的に、基づいて、範囲報告を備える未承諾無線測定フレームを前記第２のＳＴＡに送信することをさらに備える、
［Ｃ２］に記載の方法。
［Ｃ４］
前記１つまたは複数のＦＴＭメッセージのうちの少なくとも１つは、範囲報告のための要求を示す１つまたは複数のフィールドを備える、
［Ｃ２］に記載の方法。
［Ｃ５］
ＦＴＭメッセージのバーストを介して第２のＳＴＡから複数のＦＴＭメッセージを受信することと、
アクセスネットワーククエリプロトコル（ＡＮＱＰ）要求メッセージを受信すること、前記ＡＮＱＰ要求メッセージは、ＦＴＭメッセージの前記バースト中の最後のＦＴＭメッセージの送信前に前記応答するＳＴＡによって送信され、前記ＡＮＱＰ要求メッセージは、範囲報告のための要求を表す１つまたは複数のフィールドを備える、と、
前記ＡＮＱＰ要求メッセージに応答してＡＮＱＰ応答メッセージを送信することと
を備える、［Ｃ１］に記載の方法。
［Ｃ６］
第１のワイヤレス局（ＳＴＡ）において、
ワイヤレストランシーバと、
前記ワイヤレストランシーバに結合されたプロセッサとを備え、前記プロセッサは、
第２のＳＴＡに前記ワイヤレストランシーバを通してファインタイミング測定（ＦＴＭ）要求メッセージの送信を開始すること、前記ＦＴＭ要求メッセージは、範囲報告を生成するために前記第１のＳＴＡの能力を示す１つまたは複数のフィールドを備える、と
を行う、第１のＳＴＡ。
［Ｃ７］
前記プロセッサは、
前記ＦＴＭ要求メッセージに応答して前記第２のＳＴＡから前記ワイヤレストランシーバにおいて１つまたは複数のＦＴＭメッセージを取得することを行うようにさらに構成される、
［Ｃ６］に記載の第１のＳＴＡ。
［Ｃ８］
前記プロセッサは、
前記１つまたは複数のＦＴＭメッセージに、少なくとも部分的に、基づいて、範囲報告を備える未承諾無線測定フレームの送信を前記第２のＳＴＡに前記ワイヤレストランシーバを通して開始することを行うようにさらに構成される、
［Ｃ７］に記載の第１のＳＴＡ。
［Ｃ９］
前記１つまたは複数のＦＴＭメッセージのうちの少なくとも１つは、範囲報告のための要求を示す１つまたは複数のフィールドを備える、
［Ｃ８］に記載の第１のＳＴＡ。
［Ｃ１０］
前記プロセッサは、
ＦＴＭメッセージのバーストにおいて、前記第２のＳＴＡから受信した複数のＦＴＭメッセージを前記トランシーバデバイスにおいて取得することと、
前記ワイヤレストランシーバにおいて受信したＡＮＱＰ要求メッセージを取得すること、前記ＡＮＱＰ要求メッセージは、ＦＴＭメッセージの前記バースト中の最後のＦＴＭメッセージの送信前に前記第２のＳＴＡによって送信され、前記ＡＮＱＰ要求メッセージは、範囲報告のための要求を表す１つまたは複数のフィールドを備える、と、
前記ＡＮＱＰ要求メッセージに応答して前記ワイヤレストランシーバを通してＡＮＱＰ応答メッセージの送信を開始することと
を行うようにさらに構成される、［Ｃ６］に記載の第１のＳＴＡ。
［Ｃ１１］
第１のワイヤレス局（ＳＴＡ）において、
第２のＳＴＡにファインタイミング測定（ＦＴＭ）要求メッセージの送信するための手段、前記初期ＦＴＭ要求メッセージは、範囲報告を生成するために、前記開始ＳＴＡの能力を示す１つまたは複数のフィールドを備える、と、
前記ＦＴＭメッセージに応答して前記第２のＳＴＡから送信された肯定応答メッセージを受信するための手段と
を備える、第１のＳＴＡ。
［Ｃ１２］
前記ＦＴＭ要求メッセージに応答して前記第２のＳＴＡから１つまたは複数のＦＴＭメッセージを受信するための手段をさらに備える、
［Ｃ１１］に記載の第１のＳＴＡ。
［Ｃ１３］
前記１つまたは複数のＦＴＭメッセージに、少なくとも部分的に、基づいて、範囲報告を備える未承諾無線測定フレームを前記応答ＳＴＡに送信するための手段をさらに備える、
［Ｃ１２］に記載の第１のＳＴＡ。
［Ｃ１４］
前記１つまたは複数のＦＴＭメッセージのうちの少なくとも１つは、範囲報告のための要求を示す１つまたは複数のフィールドを備える、
［Ｃ１２］に記載の第１のＳＴＡ。
［Ｃ１５］
ＦＴＭメッセージのバーストにおいて前記第２のＳＴＡから複数のＦＴＭメッセージを受信するための手段と、
ＡＮＱＰ要求メッセージを受信するための手段、前記ＡＮＱＰ要求メッセージは、ＦＴＭメッセージの前記バースト中の最後のＦＴＭメッセージの送信前に前記第２のＳＴＡによって送信され、前記ＡＮＱＰ要求メッセージは、範囲報告のための要求を表す１つまたは複数のフィールドを備える、と、
前記ＡＮＱＰ要求メッセージに応答してＡＮＱＰ応答メッセージを送信するための手段と
を備える、［Ｃ１１］に記載の第１のＳＴＡ。
［Ｃ１６］
開始の第１のワイヤレス局（ＳＴＡ）のプロセッサによって、
第２のＳＴＡにファインタイミング測定（ＦＴＭ）要求メッセージの送信を開始すること
を実行可能である、その上に記憶されたコンピュータ可読命令を備え、前記第１のＦＴＭ要求メッセージは、範囲報告を生成するために前記第１のＳＴＡの能力を示す１つまたは複数のフィールドを備える、
非一時的記憶媒体。
［Ｃ１７］
前記命令は、前記プロセッサによって、
前記ＦＴＭ要求メッセージに応答して前記第２のＳＴＡから前記ワイヤレストランシーバにおいて１つまたは複数のＦＴＭメッセージを取得することを行うようにさらに実行可能である、
［Ｃ１６］に記載の記憶媒体。
［Ｃ１８］
前記命令は、前記プロセッサによって、
前記１つまたは複数のＦＴＭメッセージに、少なくとも部分的に、基づいて、範囲報告を備える未承諾無線測定フレームの送信を前記第２のＳＴＡに前記ワイヤレストランシーバを通して開始することを行うようにさらに実行可能である、
［Ｃ１７］に記載の記憶媒体。
［Ｃ１９］
前記１つまたは複数のＦＴＭメッセージのうちの少なくとも１つは、範囲報告のための要求を示す１つまたは複数のフィールドを備える、
［Ｃ１７］に記載の記憶媒体。
［Ｃ２０］
前記命令は、前記プロセッサによって、
ＦＴＭメッセージのバーストにおいて、前記第２のＳＴＡから複数のＦＴＭメッセージを取得することと、
ＡＮＱＰ要求メッセージを取得すること、前記ＡＮＱＰ要求メッセージは、ＦＴＭメッセージの前記バースト中の最後のＦＴＭメッセージの送信前に前記第２のＳＴＡによって送信され、前記ＡＮＱＰ要求メッセージは、範囲報告のための要求を表す１つまたは複数のフィールドを備える、と、
前記ＡＮＱＰ要求メッセージに応答してＡＮＱＰ応答メッセージの送信を開始することと
を行うようにさらに実行可能である、［Ｃ１６］に記載の記憶媒体。
【国際調査報告】
2018537928.tif 000025
2018537928.tif 000026
2018537928.tif 000027